(57)【要約】  本発明の実施例は、無線通信の方法、端末機器及びネットワーク機器を提供し、この方法は、端末機器が、非アクティブ状態でセル選択及び再選択を実行するために使用されるモビリティ制御パラメータを取得するステップを含む。本発明の実施例に係る方法、端末機器及びネットワーク機器は、非アクティブ状態にある端末機器の移動性制御に有利である。
2020532152.tif 000002
【特許請求の範囲】
【請求項１】
端末機器が、非アクティブ状態でセル選択及び再選択を実行するために使用されるモビリティ制御パラメータを取得するステップを含む
ことを特徴とする無線通信の方法。
【請求項２】
前記端末機器が、非アクティブ状態でセル選択及び再選択を実行するために使用されるモビリティ制御パラメータを取得するステップは、
前記端末機器が、ネットワーク機器により送信されたＲＲＣ専用シグナリングから、非アクティブ状態に対して構成されたモビリティ制御パラメータを取得するステップを含む
ことを特徴とする請求項１に記載の方法。
【請求項３】
前記端末機器が、前記ネットワーク機器により送信された無線リソース制御ＲＲＣ接続解放メッセージを受信するステップをさらに含み、
前記ＲＲＣ接続解放メッセージは、前記端末機器に非アクティブ状態に入ることを指示するために使用され、前記ＲＲＣ接続解放メッセージは、前記モビリティ制御パラメータを含み、
前記端末機器が、ネットワーク機器により送信されたＲＲＣ専用シグナリングから、非アクティブ状態に対して構成されたモビリティ制御パラメータを取得するステップは、
前記端末機器が、前記ＲＲＣ接続解放メッセージから、前記非アクティブ状態に対して構成されたモビリティ制御パラメータを取得するステップを含む
ことを特徴とする請求項２に記載の方法。
【請求項４】
前記端末機器が、非アクティブ状態で無線リソース制御ＲＲＣ接続を回復するために使用されるモビリティ制御パラメータを取得するステップは、
前記端末機器が、システムブロードキャストメッセージから、前記モビリティ制御パラメータを取得するステップを含む
ことを特徴とする請求項１に記載の方法。
【請求項５】
前記端末機器が前記システムブロードキャストメッセージから非アクティブ状態に対して構成されたモビリティ制御パラメータを取得した場合、前記端末機器が非アクティブ状態にあるときに、非アクティブ状態に対して構成されたモビリティ制御パラメータを使用してセル選択及び再選択を実行するステップ、又は
前記端末機器が前記システムブロードキャストメッセージから非アクティブ状態に対して構成されたモビリティ制御パラメータを取得できなかった場合、前記端末機器が非アクティブ状態にあるときに、アイドル状態に対して構成されたモビリティ制御パラメータを使用してセル選択及び再選択を実行するステップをさらに含む
ことを特徴とする請求項４に記載の方法。
【請求項６】
前記モビリティ制御パラメータは、端末機器の移動状態の判定パラメータ、端末機器の移動状態の各パラメータのスケーリングパラメータ、及び周波数に基づくセル再選択優先度パラメータのうちの少なくとも１つのパラメータを含む
ことを特徴とする請求項１〜５のいずれか１項に記載の方法。
【請求項７】
前記端末機器が非アクティブ状態からアイドル状態に戻ったときに、前記端末機器が、ネットワーク機器により送信された指示情報を受信するステップをさらに含み、
前記指示情報は、前記端末機器がアイドル状態にあるときに使用されるモビリティ制御パラメータを指示するために使用され、前記端末機器がアイドル状態にあるときに使用されるモビリティ制御パラメータは、非アクティブ状態に対して構成されたモビリティ制御パラメータ、又はアイドル状態に対して構成されたモビリティ制御パラメータである
ことを特徴とする請求項１〜６のいずれか１項に記載の方法。
【請求項８】
前記指示情報は、前記端末機器が非アクティブ状態からアイドル状態になることを指示する変換シグナリング又はシステムブロードキャストメッセージにより運搬される
ことを特徴とする請求項７に記載の方法。
【請求項９】
ネットワーク機器が、端末機器のために非アクティブ状態に対するモビリティ制御パラメータを構成するステップを含む
ことを特徴とする無線通信の方法。
【請求項１０】
前記ネットワーク機器が、端末機器のために非アクティブ状態に対するモビリティ制御パラメータを構成するステップは、
前記ネットワーク機器が、無線リソース制御ＲＲＣ専用シグナリング又はシステムブロードキャストメッセージを介して、前記端末機器に非アクティブ状態に対するモビリティ制御パラメータを送信するステップを含む
ことを特徴とする請求項９に記載の方法。
【請求項１１】
前記ＲＲＣ専用シグナリングは、ＲＲＣ接続解放メッセージであり、前記ＲＲＣ接続解放メッセージは、前記端末機器に非アクティブ状態に入ることを指示するために使用される
ことを特徴とする請求項１０に記載の方法。
【請求項１２】
前記端末機器が非アクティブ状態からアイドル状態に戻ったときに、前記ネットワーク機器が、前記端末機器に指示情報を送信するステップをさらに含み、前記指示情報は、前記端末機器がアイドル状態にあるときに使用されるモビリティ制御パラメータを指示するために使用され、前記端末機器がアイドル状態にあるときに使用されるモビリティ制御パラメータは、非アクティブ状態に対して構成されたモビリティ制御パラメータ、又はアイドル状態に対して構成されたモビリティ制御パラメータである
ことを特徴とする請求項９〜１１のいずれか１項に記載の方法。
【請求項１３】
前記指示情報は、前記端末機器が非アクティブ状態からアイドル状態になることを指示する変換シグナリング又はシステムブロードキャストメッセージにより運搬される
ことを特徴とする請求項１２に記載の方法。
【請求項１４】
前記モビリティ制御パラメータは、端末機器の移動状態の判定パラメータ、端末機器の移動状態の各パラメータのスケーリングパラメータ、及び周波数に基づくセル再選択優先度パラメータのうちの少なくとも１つのパラメータを含む
ことを特徴とする請求項９〜１３のいずれか１項に記載の方法。
【請求項１５】
非アクティブ状態でセル選択及び再選択を実行するために使用されるモビリティ制御パラメータを取得するための取得ユニットを備える
ことを特徴とする端末機器。
【請求項１６】
前記取得ユニットは具体的に、
ネットワーク機器により送信されたＲＲＣ専用シグナリングから、非アクティブ状態に対して構成されたモビリティ制御パラメータを取得するために使用される
ことを特徴とする請求項１５に記載の端末機器。
【請求項１７】
前記ネットワーク機器により送信された無線リソース制御ＲＲＣ接続解放メッセージを受信するための第１の受信ユニットをさらに備え、
前記ＲＲＣ接続解放メッセージは、前記端末機器に非アクティブ状態に入ることを指示するために使用され、前記ＲＲＣ接続解放メッセージは、前記モビリティ制御パラメータを含み、
前記取得ユニットは具体的に、
前記ＲＲＣ接続解放メッセージから、前記非アクティブ状態に対して構成されたモビリティ制御パラメータを取得するために使用される
ことを特徴とする請求項１６に記載の端末機器。
【請求項１８】
前記取得ユニットは具体的に、
システムブロードキャストメッセージから、前記モビリティ制御パラメータを取得するために使用される
ことを特徴とする請求項１５に記載の端末機器。
【請求項１９】
前記システムブロードキャストメッセージから非アクティブ状態に対して構成されたモビリティ制御パラメータを取得した場合、前記端末機器が非アクティブ状態にあるときに、非アクティブ状態に対して構成されたモビリティ制御パラメータを使用してセル選択及び再選択を実行し、又は
前記システムブロードキャストメッセージから非アクティブ状態に対して構成されたモビリティ制御パラメータを取得できなかった場合、前記端末機器が非アクティブ状態にあるときに、アイドル状態に対して構成されたモビリティ制御パラメータを使用してセル選択及び再選択を実行するための処理ユニットをさらに備える
ことを特徴とする請求項１８に記載の端末機器。
【請求項２０】
前記モビリティ制御パラメータは、端末機器の移動状態の判定パラメータ、端末機器の移動状態の各パラメータのスケーリングパラメータ、及び周波数に基づくセル再選択優先度パラメータのうちの少なくとも１つのパラメータを含む
ことを特徴とする請求項１５〜１９のいずれか１項に記載の端末機器。
【請求項２１】
前記端末機器が非アクティブ状態からアイドル状態に戻ったときに、ネットワーク機器により送信された指示情報を受信するための第２の受信ユニットをさらに備え、
前記指示情報は、前記端末機器がアイドル状態にあるときに使用されるモビリティ制御パラメータを指示するために使用され、前記端末機器がアイドル状態にあるときに使用されるモビリティ制御パラメータは、非アクティブ状態に対して構成されたモビリティ制御パラメータ、又はアイドル状態に対して構成されたモビリティ制御パラメータである
ことを特徴とする請求項１５〜２０のいずれか１項に記載の端末機器。
【請求項２２】
前記指示情報は、前記端末機器が非アクティブ状態からアイドル状態になることを指示する変換シグナリング又はシステムブロードキャストメッセージにより運搬される
ことを特徴とする請求項２１に記載の端末機器。
【請求項２３】
端末機器のために非アクティブ状態に対するモビリティ制御パラメータを構成するための構成ユニットを備える
ことを特徴とするネットワーク機器。
【請求項２４】
前記構成ユニットは具体的に、
無線リソース制御ＲＲＣ専用シグナリング又はシステムブロードキャストメッセージを介して、前記端末機器に非アクティブ状態に対するモビリティ制御パラメータを送信するために使用される
ことを特徴とする請求項２３に記載のネットワーク機器。
【請求項２５】
前記ＲＲＣ専用シグナリングは、ＲＲＣ接続解放メッセージであり、前記ＲＲＣ接続解放メッセージは、前記端末機器に非アクティブ状態に入ることを指示するために使用される
ことを特徴とする請求項２４に記載のネットワーク機器。
【請求項２６】
前記端末機器が非アクティブ状態からアイドル状態に戻ったときに、前記端末機器に指示情報を送信するための送信ユニットをさらに備え、
前記指示情報は、前記端末機器がアイドル状態にあるときに使用されるモビリティ制御パラメータを指示するために使用され、前記端末機器がアイドル状態にあるときに使用されるモビリティ制御パラメータは、非アクティブ状態に対して構成されたモビリティ制御パラメータ、又はアイドル状態に対して構成されたモビリティ制御パラメータである
ことを特徴とする請求項２３〜２５のいずれか１項に記載のネットワーク機器。
【請求項２７】
前記指示情報は、前記端末機器が非アクティブ状態からアイドル状態になることを指示する変換シグナリング又はシステムブロードキャストメッセージにより運搬される
ことを特徴とする請求項２６に記載のネットワーク機器。
【請求項２８】
前記モビリティ制御パラメータは、端末機器の移動状態の判定パラメータ、端末機器の移動状態の各パラメータのスケーリングパラメータ、及び周波数に基づくセル再選択優先度パラメータのうちの少なくとも１つのパラメータを含む
ことを特徴とする請求項２３〜２７のいずれか１項に記載のネットワーク機器。
【発明の詳細な説明】
【技術分野】
【０００１】
本発明の実施例は、通信分野に関し、より詳細には、無線通信の方法、端末機器及びネットワーク機器に関する。
【背景技術】
【０００２】
新無線（Ｎｅｗ  Ｒａｄｉｏ、ＮＲ）では、無線シグナリングを低減し、無線接続を迅速に回復し、及びデータサービスを迅速に回復するために、新たな無線リソース制御（Ｒａｄｉｏ  Ｒｅｓｏｕｒｃｅ  Ｃｏｎｔｒｏｌ，ＲＲＣ）状態、即ち、ＲＲＣ非アクティブ（ＲＲＣ＿ＩＮＡＣＴＩＶＥ）状態が定義されている。端末機器がＲＲＣ非アクティブ状態でセル選択及び再選択を如何に行うかが解決すべき問題である。
【発明の概要】
【発明が解決しようとする課題】
【０００３】
これに鑑みて、本発明の実施例は、非アクティブ状態にある端末機器の移動性制御に有利な無線通信の方法、端末機器及びネットワーク機器を提供する。
【課題を解決するための手段】
【０００４】
第１の態様によれば、無線通信の方法が提供され、この方法は、端末機器が、非アクティブ状態でセル選択及び再選択を実行するために使用されるモビリティ制御パラメータを取得するステップを含む。
【０００５】
一可能な実現形態では、この端末機器が、非アクティブ状態でセル選択及び再選択を実行するために使用されるモビリティ制御パラメータを取得するステップは、この端末機器が、ネットワーク機器により送信されたＲＲＣ専用シグナリングから、非アクティブ状態に対して構成されたモビリティ制御パラメータを取得するステップを含む。
【０００６】
一可能な実現形態では、この方法は、この端末機器が、このネットワーク機器により送信された無線リソース制御ＲＲＣ接続解放メッセージを受信するステップをさらに含み、このＲＲＣ接続解放メッセージは、この端末機器に非アクティブ状態に入ることを指示するために使用され、このＲＲＣ接続解放メッセージは、このモビリティ制御パラメータを含み、この端末機器が、ネットワーク機器により送信されたＲＲＣ専用シグナリングから、非アクティブ状態に対して構成されたモビリティ制御パラメータを取得するステップは、この端末機器が、このＲＲＣ接続解放メッセージから、この非アクティブ状態に対して構成されたモビリティ制御パラメータを取得するステップを含む。
【０００７】
一可能な実現形態では、この端末機器が、非アクティブ状態で無線リソース制御ＲＲＣ接続を回復するために使用されるモビリティ制御パラメータを取得するステップは、この端末機器が、システムブロードキャストメッセージから、このモビリティ制御パラメータを取得するステップを含む。
【０００８】
一可能な実現形態では、この方法は、この端末機器がこのシステムブロードキャストメッセージから非アクティブ状態に対して構成されたモビリティ制御パラメータを取得した場合、この端末機器が非アクティブ状態にあるときに、非アクティブ状態に対して構成されたモビリティ制御パラメータを使用してセル選択及び再選択を実行するステップ、又はこの端末機器がこのシステムブロードキャストメッセージから非アクティブ状態に対して構成されたモビリティ制御パラメータを取得できなかった場合、この端末機器が非アクティブ状態にあるときに、アイドル状態に対して構成されたモビリティ制御パラメータを使用してセル選択及び再選択を実行するステップをさらに含む。
【０００９】
一可能な実現形態では、このモビリティ制御パラメータは、端末機器の移動状態の判定パラメータ、端末機器の移動状態の各パラメータのスケーリングパラメータ、及び周波数に基づくセル再選択優先度パラメータのうちの少なくとも１つのパラメータを含む。
【００１０】
一可能な実現形態では、この方法は、この端末機器が非アクティブ状態からアイドル状態に戻ったときに、この端末機器が、ネットワーク機器により送信された指示情報を受信するステップをさらに含み、この指示情報は、この端末機器がアイドル状態にあるときに使用されるモビリティ制御パラメータを指示するために使用され、この端末機器がアイドル状態にあるときに使用されるモビリティ制御パラメータは、非アクティブ状態に対して構成されたモビリティ制御パラメータ、又はアイドル状態に対して構成されたモビリティ制御パラメータである。
【００１１】
一可能な実現形態では、この指示情報は、この端末機器が非アクティブ状態からアイドル状態になることを指示する変換シグナリング又はシステムブロードキャストメッセージにより運搬される。
【００１２】
第２の態様によれば、無線通信の方法が提供され、この方法は、ネットワーク機器が、端末機器のために非アクティブ状態に対するモビリティ制御パラメータを構成するステップと、このネットワーク機器が、この端末機器にこの非アクティブ状態に対するモビリティ制御パラメータを送信するステップと、を含む。
【００１３】
一可能な実現形態では、このネットワーク機器が、この端末機器にこの非アクティブ状態に対するモビリティ制御パラメータを送信するステップは、このネットワーク機器が、無線リソース制御ＲＲＣ専用シグナリング又はシステムブロードキャストメッセージを介して、この端末機器に非アクティブ状態に対するモビリティ制御パラメータを送信するステップを含む。
【００１４】
一可能な実現形態では、このＲＲＣ専用シグナリングは、ＲＲＣ接続解放メッセージであり、このＲＲＣ接続解放メッセージは、この端末機器に非アクティブ状態に入ることを指示するために使用される。
【００１５】
一可能な実現形態では、この方法は、この端末機器が非アクティブ状態からアイドル状態に戻ったときに、このネットワーク機器が、この端末機器に指示情報を送信するステップをさらに含み、この指示情報は、この端末機器がアイドル状態にあるときに使用されるモビリティ制御パラメータを指示するために使用され、この端末機器がアイドル状態にあるときに使用されるモビリティ制御パラメータは、非アクティブ状態に対して構成されたモビリティ制御パラメータ、又はアイドル状態に対して構成されたモビリティ制御パラメータである。
【００１６】
一可能な実現形態では、この指示情報は、この端末機器が非アクティブ状態からアイドル状態になることを指示する変換シグナリング又はシステムブロードキャストメッセージにより運搬される。
【００１７】
一可能な実現形態では、このモビリティ制御パラメータは、端末機器の移動状態の判定パラメータ、端末機器の移動状態の各パラメータのスケーリングパラメータ、及び周波数に基づくセル再選択優先度パラメータのうちの少なくとも１つのパラメータを含む。
【００１８】
第３の態様によれば、上記の第１の態様又は第１の態様の任意の可能な実現形態に係る方法を実行するための端末機器が提供される。具体的に、この端末機器は、上記の第１の態様又は第１の態様の任意の可能な実現形態に係る方法を実行するためのユニットを備える。
【００１９】
第４の態様によれば、上記の第２の態様又は第２の態様の任意の可能な実現形態に係る方法を実行するためのネットワーク機器が提供される。具体的に、このネットワーク機器は、上記の第２の態様又は第２の態様の任意の可能な実現形態に係る方法を実行するためのユニットを備える。
【００２０】
第５の態様によれば、端末機器が提供され、この端末機器は、メモリ、プロセッサー、入力インターフェース及び出力インターフェースを備える。ここで、メモリ、プロセッサー、入力インターフェース及び出力インターフェースは、バスシステムを介して互いに接続される。このメモリは、命令を記憶するために使用され、このプロセッサーは、このメモリに記憶された命令を実行することで、上記の第１の態様又は第１の態様の任意の可能な実現形態に係る方法を実行するために使用される。
【００２１】
第６の態様によれば、ネットワーク機器が提供され、このネットワーク機器は、メモリ、プロセッサー、入力インターフェース及び出力インターフェースを備える。ここで、メモリ、プロセッサー、入力インターフェース及び出力インターフェースは、バスシステムを介して互いに接続される。このメモリは、命令を記憶するために使用され、このプロセッサーは、このメモリに記憶された命令を実行することで、上記の第２の態様又は第２の態様の任意の可能な実現形態に係る方法を実行するために使用される。
【００２２】
第７の態様によれば、上記の第１の態様又は第１の態様の任意の可能な実現形態に係る方法、又は上記の第２の態様又は第２の態様の任意の可能な実現形態に係る方法を実行するために使用されるコンピュータソフトウェア命令を記憶するためのコンピュータ記録媒体が提供され、上記の態様を実行するために設計されたプログラムが含まれる。
【００２３】
第８の態様によれば、命令を含むコンピュータプログラム製品が提供され、コンピュータ上で実行されると、上記の第１の態様又は第１の態様のいずれかの選択可能な実現形態に係る方法、又は上記の第２の態様又は第２の態様のいずれかの選択可能な実現形態に係る方法をコンピュータに実行させる。
【００２４】
本発明のこれらの態様又は他の態様は、以下の実施例の説明においてさらに分かりやすくなるであろう。
【図面の簡単な説明】
【００２５】
【図１】本発明の実施例に係る１つの応用シーンを示す模式図である。
【図２】ＥＰＳベアラサービスアーキテクチャを示す概略ブロック図である。
【図３】本発明の実施例に係る無線通信の方法を示す概略ブロック図である。
【図４】本発明の実施例に係る無線通信の方法を示す別の概略ブロック図である。
【図５】本発明の実施例に係る端末機器を示す概略ブロック図である。
【図６】本発明の実施例に係るネットワーク機器を示す概略ブロック図である。
【図７】本発明の実施例に係る端末機器を示す別の概略ブロック図である。
【図８】本発明の実施例に係るネットワーク機器を示す別の概略ブロック図である。
【発明を実施するための形態】
【００２６】
以下は、本発明の実施例に係る図面を参考しながら、本発明の実施例に係る技術手段をより明確且つ完全に説明する。
【００２７】
本発明の実施例に係る技術手段は、グローバルモバイル通信（Ｇｌｏｂａｌ  Ｓｙｓｔｅｍ  ｏｆ  Ｍｏｂｉｌｅ  ｃｏｍｍｕｎｉｃａｔｉｏｎ，ＧＳＭ）システム、符号分割多元接続（Ｃｏｄｅ  Ｄｉｖｉｓｉｏｎ  Ｍｕｌｔｉｐｌｅ  Ａｃｃｅｓｓ，ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ，ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ，ＧＰＲＳ）、ロングタームエボリューション（Ｌｏｎｇ  Ｔｅｒｍ  Ｅｖｏｌｕｔｉｏｎ，ＬＴＥ）システム、ＬＴＥ周波数分割複信（Ｆｒｅｑｕｅｎｃｙ  Ｄｉｖｉｓｉｏｎ  Ｄｕｐｌｅｘ，ＦＤＤ）システム、ＬＴＥ時分割複信（Ｔｉｍｅ  Ｄｉｖｉｓｉｏｎ  Ｄｕｐｌｅｘ，ＴＤＤ）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ，ＵＭＴＳ）、グローバル相互接続マイクロ波アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ，ＷｉＭＡＸ）通信システム、新無線（Ｎｅｗ  Ｒａｄｉｏ，ＮＲ）又は未来の５Ｇシステム等のような様々な通信システムに適用されることが理解されるべきである。
【００２８】
特に、本発明の実施例に係る技術手段は、散在符号多元接続（Ｓｐａｒｓｅ  Ｃｏｄｅ  Ｍｕｌｔｉｐｌｅ  Ａｃｃｅｓｓ，ＳＣＭＡ）システム、低密度シグネチャ（Ｌｏｗ  Ｄｅｎｓｉｔｙ  Ｓｉｇｎａｔｕｒｅ，ＬＤＳ）システム等のような様々な非直交多元接続技術に基づく通信システムに適用され、もちろん、ＳＣＭＡシステム及びＬＤＳシステムは通信分野において他の名称と称されてもよく、さらに、本発明の実施例に係る技術手段は、非直交多元接続技術を採用した直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ，ＯＦＤＭ）、フィルターバンクマルチキャリア（Ｆｉｌｔｅｒ  Ｂａｎｋ  Ｍｕｌｔｉ−Ｃａｒｒｉｅｒ，ＦＢＭＣ）、一般的な周波数分割多重化（Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ，ＧＦＤＭ）、フィルタリング直交周波数分割多重化（Ｆｉｌｔｅｒｅｄ−ＯＦＤＭ，Ｆ−ＯＦＤＭ）システム等のような非直交多元接続技術を採用したマルチキャリア伝送システムに適用される。
【００２９】
本発明の実施例に係る端末機器は、ユーザ機器（Ｕｓｅｒ  Ｅｑｕｉｐｍｅｎｔ，ＵＥ）、アクセス端末、ユーザユニット、ユーザ局、移動局、モバイルステーション、遠隔局、遠隔端末、モバイル機器、ユーザ端末、端末、無線通信機器、ユーザエージェント又はユーザ装置を指してもよい。アクセス端末は、携帯電話、コードレス電話、セッション確立プロトコル（Ｓｅｓｓｉｏｎ  Ｉｎｉｔｉａｔｉｏｎ  Ｐｒｏｔｏｃｏｌ，ＳＩＰ）電話、ワイヤレスローカルループ（Ｗｉｒｅｌｅｓｓ  Ｌｏｃａｌ  Ｌｏｏｐ，ＷＬＬ）局、携帯情報端末（Ｐｅｒｓｏｎａｌ  Ｄｉｇｉｔａｌ  Ａｓｓｉｓｔａｎｔ，ＰＤＡ）、無線通信機能のあるハンドヘルド機器、計算機器又は無線モデムに接続する他の処理機器、車載機器、ウェアラブル機器及び未来５Ｇネットワークにおける端末機器又は未来進化の公衆陸上移動通信ネットワーク（Ｐｕｂｌｉｃ  Ｌａｎｄ  Ｍｏｂｉｌｅ  Ｎｅｔｗｏｒｋ，ＰＬＭＮ）における端末機器等であってもよく、本発明の実施例では限定をしない。
【００３０】
本発明の実施例に係るネットワーク機器は、端末機器と通信するために使用される機器であってもよく、このネットワーク機器は、ＧＳＭ又はＣＤＭＡにおける基地局（Ｂａｓｅ  Ｔｒａｎｓｃｅｉｖｅｒ  Ｓｔａｔｉｏｎ，ＢＴＳ）であってもよいが、ＷＣＤＭＡシステムにおける基地局（ＮｏｄｅＢ，ＮＢ）であってもよく、また、ＬＴＥシステムにおける進化型基地局（Ｅｖｏｌｕｔｉｏｎａｌ  Ｎｏｄｅ  Ｂ，ｅＮＢ又はｅＮｏｄｅＢ）であってもよいが、クラウド無線アクセスネットワーク（Ｃｌｏｕｄ  Ｒａｄｉｏ  Ａｃｃｅｓｓ  Ｎｅｔｗｏｒｋ，ＣＲＡＮ）シナリオでのワイヤレスコントローラであってもよく、又はこのネットワーク機器は、中継局、アクセスポイント、車載機器、ウェアラブル機器、及び未来５Ｇネットワークにおけるネットワーク機器又は未来進化のＰＬＭＮネットワークにおけるネットワーク機器等であってもよく、本発明の実施例では限定をしない。
【００３１】
図１は、本発明の実施例に係る１つの応用シーンの模式図である。図１に係る通信システムは、端末機器１０及びネットワーク機器２０を備えてもよい。ネットワーク機器２０は、端末機器１０に対して通信サービスを提供し、コアネットワークにアクセスするように構成され、端末機器１０は、ネットワーク機器２０が送信した同期信号、ブロードキャスト信号等をサーチすることによりネットワークにアクセスし、これにより、ネットワークとの通信を行う。図１に示す矢印は、端末機器１０とネットワーク機器２０との間のセルラーリンクを介して行われる上り／下り伝送を表してもよい。
【００３２】
本発明の実施例の理解を容易にするために、まず、進化型パケットシステム（Ｅｖｏｌｖｅｄ  Ｐａｃｋｅｔ  Ｓｙｓｔｅｍ，ＥＰＳ）ベアラサービスアーキテクチャにおける幾つかの要素を図２に関連して簡単に説明する。図２に示すように、このネットワークアーキテクチャは主に、進化型ユニバーサル移動体通信システム地上無線アクセスネットワーク（Ｅｖｏｌｖｅｄ  −Ｕｎｉｖｅｒｓａｌ  Ｍｏｂｉｌｅ  Ｔｅｌｅｃｏｍｍｕｎｉｃａｔｉｏｎ  Ｓｙｓｔｅｍ  Ｔｅｒｒｅｓｔｒｉａｌ  Ｒａｄｉｏ  Ａｃｃｅｓｓ  Ｎｅｔｗｏｒｋ，Ｅ−ＵＴＲＡＮ）及び進化型パケットコア（Ｅｖｏｌｖｅｄ  Ｐａｃｋｅｔ  Ｃｏｒｅ，ＥＰＣ）を含み、ここで、ＥＰＣは、サービングゲートウェイ（Ｓｅｒｖｉｎｇ  Ｇａｔｅｗａｙ，Ｓ−ＧＷ）及びパケットデータネットワークゲートウェイ（Ｐａｃｋｅｔ  Ｄａｔａ  Ｎｅｔｗｏｒｋ  Ｇａｔｅｗａｙ，Ｐ−ＧＷ）を含む。ＥＰＳベアラのサービスアーキテクチャでは、エンドツーエンドサービスは、ＥＰＳベアラと外部ベアラとの２つの部分に分解することができる。ここで、１つの進化型無線アクセスベアラ（Ｅｖｏｌｖｅｄ  Ｒａｄｉｏ  Ａｃｃｅｓｓ  Ｂｅａｒｅｒ，Ｅ−ＲＡＢ）は、ＵＥと進化型ＥＰＣとの間で１つのＥＰＳベアラのパケットを伝送するために使用され、Ｅ−ＲＡＢとＥＰＳベアラとの間は、１対１の対応関係を有する。１つの無線ベアラは、ＵＥとｅＮｏｄｅＢとの間で１つのＥ−ＲＡＢベアラのパケットを伝送するために使用され、無線ベアラとＥ−ＲＡＢ／ＥＰＳベアラとの間は、１対１の対応関係を有する。１つのＳ１ベアラは、ｅＮｏｄｅＢと１つのＳ−ＧＷとの間で１つのＥ−ＲＡＢベアラのパケットを伝送するために使用される。１つのＳ５／Ｓ８ベアラは、Ｓ−ＧＷとＰ−ＧＷとの間で１つのＥＰＳベアラのパケットを伝送するために使用され、外部ベアラは、ＥＰＣとピアエンティティとの間の情報を伝送するために使用される。
【００３３】
ＬＴＥシステムでは、ＵＥのＲＲＣ状態は主に、ＲＲＣアイドル状態及びＲＲＣ接続状態を含む。ここで、ＲＲＣアイドル状態：Ｓ５／Ｓ８ベアラが存在し、無線ベアラ及びＳ１ベアラが存在せず、コアネットワーク側がＵＥコンテキストを保持し、ｅＮｏｄｅＢ及びＵＥが互のコンテキストを保持せず、端末がタイミングアドバンス（Ｔｉｍｅ  ａｄｖａｎｃｅ，ＴＡ）内の固有の識別子（通常は、一時的なモバイル加入者識別子（Ｔｅｍｐｏｒａｒｙ  Ｍｏｂｉｌｅ  Ｓｕｂｓｃｒｉｂｅｒ  ＩＤｅｎｔｉｔｙ，ＴＭＳＩ））を保持する。ＲＲＣアイドル状態にあるＵＥは、ネットワークとのデータ交換、非アクセス層（Ｎｏｎ−ａｃｃｅｓｓ  ｓｔｒａｔｕｍ，ＮＡＳ）によって構成された不連続受信（Ｄｉｓｃｏｎｔｉｎｕｏｕｓ  Ｒｅｃｅｐｔｉｏｎ，ＤＲＸ）プロセス、システム情報ブロードキャスト及びページング、隣接セル測定、セル再選択の移動性、測定報告のない報告等の動作があってはいけない。ＲＲＣ接続状態：Ｓ５／Ｓ８ベアラ、Ｓ１ベアラ及び無線ベアラが存在し、コアネットワーク、ｅＮｏｄｅＢ及びＵＥがいずれも対応するコンテキストを保持し、ｅＮｏｄｅＢがアクセス層（ａｃｃｅｓｓ  ｓｔｒａｔｕｍ，ＡＳ）識別子（通常は、セル無線ネットワーク一時識別子（Ｃｅｌｌ  Ｒａｄｉｏ  Ｎｅｔｗｏｒｋ  Ｔｅｍｐｏｒａｒｙ  ＩＤｅｎｔｉｆｉｅｒ，Ｃ−ＲＮＴＩ））を割り当てる。ＲＲＣ接続状態にあるＵＥは、ネットワークとデータを交換することができ、ＡＳによって構成されたＤＲＸ、ハンドオーバの移動性、チャネル測定をネットワーク側に報告する等の動作が存在し得る。
【００３４】
５Ｇシステムでは、第３の状態、即ち、ＲＲＣ非アクティブ状態が導入されている。ＲＲＣ非アクティブ状態：Ｓ５／Ｓ８ベアラ、Ｓ１ベアラ及び一部の無線ベアラが存在し、コアネットワーク、ｅＮｏｄｅＢ及びＵＥがいずれも対応するコンテキストを保持し、ｅＮｏｄｅＢがアクセス層ＡＳ識別子（通常は、回復（Ｒｅｓｕｍｅ）識別子（ＩＤｅｎｔｉｆｉｃａｔｉｏｎ，ＩＤ））を割り当てる。ＲＲＣ非アクティブ状態にあるＵＥは、セル再選択の移動性を有し、測定報告がなく、小さいデータの送信及び受信を行うことができ、ＡＳによって構成されたＤＲＸが存在し得る。
【００３５】
図３は、本発明の実施例に係る無線通信の方法１００を示す概略ブロック図である。図３に示すように、この方法１００は、以下の内容の一部又は全部を含む。
【００３６】
Ｓ１１０：端末機器が、非アクティブ状態でセル選択及び再選択を実行するために使用されるモビリティ制御パラメータを取得する。
【００３７】
本発明の実施例に係る非アクティブ状態が、即ち上記ＲＲＣアクティブ状態であることが理解されるべきである。端末機器は、例えば、ＲＲＣ専用シグナリング又はシステムブロードキャストメッセージを介して、非アクティブ状態でセル選択及び再選択を実行するために使用されるモビリティ制御パラメータを取得できる。このモビリティ制御パラメータは、端末機器の移動状態の判定パラメータ、端末機器の移動状態の各パラメータのスケーリングパラメータ、及び周波数に基づくセル再選択優先度パラメータのうちの少なくとも１つのパラメータを含んでもよい。端末機器の移動状態とは、所定時間におけるセル再選択の回数として定義されてもよく、高速移動状態、中速移動状態及び正常移動状態を含んでもよい。この端末機器の移動状態の判定パラメータは、例えば、端末機器が中速又は高速移動状態判定に入ったことを指示するためのタイムウィンドウＴＣＲｍａｘ、高速移動状態判定を指示するためのセル再選択回数閾値ＮＣＲ＿Ｈ、中速移動状態判定を指示するためのセル再選択回数閾値ＮＣＲ＿Ｍ、又は端末機器が中速／高速移動状態判定を離れたことを指示するためのタイムウィンドウＴＣＲｍａｘＨｙｓｔであってもよい。スケーリングパラメータは、セル選択及び再選択パラメータで使用される幾つかの２次的なパラメータであって、実際には１つの値であり、端末機器の移動状態の各パラメータに１つのスケール係数を掛けて、セル選択又は再選択の判定に使用することができ、これにより、移動速度が端末機器の移動性能に与える影響を低減させる。周波数に基づくセル再選択優先度パラメータとは、異なる周波数間の絶対的な優先度であり、端末機器がセル選択及び再選択を行うときに考慮する必要があるパラメータである。
【００３８】
選択的に、本発明の実施例では、この端末機器が、非アクティブ状態でセル選択及び再選択を実行するために使用されるモビリティ制御パラメータを取得するステップは、この端末機器が、ネットワーク機器により送信されたＲＲＣ専用シグナリングから、非アクティブ状態に対して構成されたモビリティ制御パラメータを取得するステップを含む。
【００３９】
ネットワーク機器は、端末機器がＲＲＣ非アクティブ状態にあるときにセル選択及び再選択を行うために、ＲＲＣ非アクティブ状態にある端末機器のために専用のモビリティ制御パラメータを構成することができ、ＲＲＣ非アクティブ状態にある端末機器のために専用のモビリティ制御パラメータが構成されているので、端末機器の移動性制御はより正確である。ネットワーク機器は、ＲＲＣ専用シグナリングを介して端末機器にこのモビリティ制御パラメータを指示することができる。
【００４０】
さらに、端末機器は、このネットワーク機器により送信された無線リソース制御ＲＲＣ接続解放メッセージを受信でき、このＲＲＣ接続解放メッセージは、この端末機器に非アクティブ状態に入ることを指示するために使用され、このＲＲＣ接続解放メッセージは、このモビリティ制御パラメータを含み、この端末機器は、このＲＲＣ接続解放メッセージから、この非アクティブ状態に対して構成されたモビリティ制御パラメータを取得できる。
【００４１】
端末機器がＲＲＣアクティブ状態にあるとき、サービスが一時的に行われない場合、ネットワーク機器は、端末機器に非アクティブ状態に入ることを指示することができ、例えば、このＲＲＣ接続解放メッセージに一つの指示又は解放原因値を追加して、端末機器に非アクティブ状態に入ることを指示することができる。同時に、このＲＲＣ接続解放メッセージに、ネットワーク機器が端末機器のために構成した非アクティブ状態に対するモビリティ制御パラメータが含まれてもよい。
【００４２】
選択的に、本発明の実施例では、この端末機器が、非アクティブ状態で無線リソース制御ＲＲＣ接続を回復するために使用されるモビリティ制御パラメータを取得するステップは、この端末機器が、システムブロードキャストメッセージから、このモビリティ制御パラメータを取得するステップを含む。
【００４３】
端末機器がＲＲＣ専用シグナリングからこのモビリティ制御パラメータを取得できる場合、端末機器は、このＲＲＣ専用シグナリングで取得したモビリティ制御パラメータを使用してセル選択及び再選択を実行してもよいが、端末機器がＲＲＣ専用シグナリングからこのモビリティ制御パラメータを取得できない場合、端末機器は、システムブロードキャストメッセージから取得したモビリティ制御パラメータを使用してセル選択及び再選択を実行してもよい。
【００４４】
選択的に、本発明の実施例では、この方法は、この端末機器がこのシステムブロードキャストメッセージから非アクティブ状態に対して構成されたモビリティ制御パラメータを取得した場合、この端末機器が非アクティブ状態にあるときに、非アクティブ状態に対して構成されたモビリティ制御パラメータを使用してセル選択及び再選択を実行するステップ、又はこの端末機器がこのシステムブロードキャストメッセージから非アクティブ状態に対して構成されたモビリティ制御パラメータを取得できなかった場合、この端末機器が非アクティブ状態にあるときに、アイドル状態に対して構成されたモビリティ制御パラメータを使用してセル選択及び再選択を実行するステップをさらに含む。具体的に、システムブロードキャストは、アイドル状態に対して構成されたモビリティ制御パラメータをブロードキャストし、また、非アクティブ状態に対して構成されたモビリティ制御パラメータをブロードキャストすることができる。
【００４５】
選択的に、本発明の実施例では、この方法は、この端末機器が非アクティブ状態からアイドル状態に戻ったときに、この端末機器が、ネットワーク機器により送信された指示情報を受信するステップをさらに含み、この指示情報は、この端末機器がアイドル状態にあるときに使用されるモビリティ制御パラメータを指示するために使用され、この端末機器がアイドル状態にあるときに使用されるモビリティ制御パラメータは、非アクティブ状態に対して構成されたモビリティ制御パラメータ、又はアイドル状態に対して構成されたモビリティ制御パラメータである。
【００４６】
端末機器が非アクティブ状態からアイドル状態に戻ったときに、ネットワーク機器は、端末機器が非アクティブ状態に対して構成されたモビリティ制御パラメータを使用し続けるか、それともアイドル状態に対して構成されたモビリティ制御パラメータを使用するかを指示することができる。具体的に、この指示情報は、この端末機器が非アクティブ状態からアイドル状態になることを指示する変換シグナリング又はシステムブロードキャストメッセージにより運搬される。
【００４７】
図４は、本発明の実施例に係る無線通信の方法２００を示す概略ブロック図である。図４に示すように、この方法２００は、以下の内容の一部又は全部を含む。
【００４８】
Ｓ２１０：ネットワーク機器が、端末機器のために非アクティブ状態に対するモビリティ制御パラメータを構成する。
【００４９】
したがって、本発明の実施例に係る方法は、非アクティブ状態にある端末機器の移動性制御に有利である。
【００５０】
選択的に、本発明の実施例では、前記ネットワーク機器が、端末機器のために非アクティブ状態に対するモビリティ制御パラメータを構成するステップは、前記ネットワーク機器が、無線リソース制御ＲＲＣ専用シグナリング又はシステムブロードキャストメッセージを介して、前記端末機器に非アクティブ状態に対するモビリティ制御パラメータを送信するステップを含む。
【００５１】
選択的に、本発明の実施例では、前記ＲＲＣ専用シグナリングは、ＲＲＣ接続解放メッセージであり、前記ＲＲＣ接続解放メッセージは、前記端末機器に非アクティブ状態に入ることを指示するために使用される。
【００５２】
選択的に、本発明の実施例では、前記方法は、前記端末機器が非アクティブ状態からアイドル状態に戻ったときに、前記ネットワーク機器が、前記端末機器に指示情報を送信するステップをさらに含み、前記指示情報は、前記端末機器がアイドル状態にあるときに使用されるモビリティ制御パラメータを指示するために使用され、前記端末機器がアイドル状態にあるときに使用されるモビリティ制御パラメータは、非アクティブ状態に対して構成されたモビリティ制御パラメータ、又はアイドル状態に対して構成されたモビリティ制御パラメータである。
【００５３】
選択的に、本発明の実施例では、前記指示情報は、前記端末機器が非アクティブ状態からアイドル状態になることを指示する変換シグナリング又はシステムブロードキャストメッセージにより運搬される。
【００５４】
選択的に、本発明の実施例では、前記モビリティ制御パラメータは、端末機器の移動状態の判定パラメータ、端末機器の移動状態の各パラメータのスケーリングパラメータ、及び周波数に基づくセル再選択優先度パラメータのうちの少なくとも１つのパラメータを含む。
【００５５】
また、ネットワーク機器に関して説明されたネットワーク機器と端末機器との間のインタラクション及び関連特性、機能等は、端末機器の関連特性、機能に対応していることが理解されるべきである。つまり、端末機器がネットワーク機器に何かメッセージを送信すると、ネットワーク機器は端末機器から対応するメッセージを受信する。
【００５６】
また、本発明の各実施例では、上記の各フローの番号の大きさは、実行する前後順序を意味するものではなく、各フローの実行順序は、その機能及び内部論理により決定されるべきであり、本発明の実施例に係る実施フローに対していずれかの限定を構成しないことが理解されるべきである。
【００５７】
また、本明細書における用語「及び／又は」は、関連するオブジェクトを説明する関連付けにすぎず、３つの関係が存在できることを表し、例えば、Ａ及び／又はＢは、Ａが単独に存在し、Ａ及びＢが同時に存在し、Ｂが単独に存在する３つの場合を表すことが理解されるべきである。また、本明細書における符号「／」は、一般的に前後関連するオブジェクトの間が「又は」の関係であることを表す。
【００５８】
以上、本発明の実施例に係る無線通信の方法を詳細に説明しており、以下は、図５乃至図８に関連して、本発明の実施例に係る無線通信の装置を説明し、方法の実施例で説明された技術的特徴は下記の装置の実施例に適用される。
【００５９】
図５は、本発明の実施例に係る端末機器３００を示す概略ブロック図である。図５に示すように、この端末機器３００は、取得ユニット３１０を備える。
【００６０】
取得ユニット３１０は、非アクティブ状態でセル選択及び再選択を実行するために使用されるモビリティ制御パラメータを取得するために使用される。
【００６１】
したがって、本発明の実施例に係る端末機器は、非アクティブ状態にある端末機器の移動性制御に有利である。
【００６２】
選択的に、本発明の実施例では、この取得ユニットは具体的に、ネットワーク機器により送信されたＲＲＣ専用シグナリングから、非アクティブ状態に対して構成されたモビリティ制御パラメータを取得するために使用される。
【００６３】
選択的に、本発明の実施例では、この端末機器は、このネットワーク機器により送信された無線リソース制御ＲＲＣ接続解放メッセージを受信するための第１の受信ユニットをさらに備え、このＲＲＣ接続解放メッセージは、この端末機器に非アクティブ状態に入ることを指示するために使用され、このＲＲＣ接続解放メッセージは、このモビリティ制御パラメータを含み、この取得ユニットは具体的に、このＲＲＣ接続解放メッセージから、この非アクティブ状態に対して構成されたモビリティ制御パラメータを取得するために使用される。
【００６４】
選択的に、本発明の実施例では、この取得ユニットは具体的に、システムブロードキャストメッセージから、このモビリティ制御パラメータを取得するために使用される。
【００６５】
選択的に、本発明の実施例では、この端末機器は、このシステムブロードキャストメッセージから非アクティブ状態に対して構成されたモビリティ制御パラメータを取得した場合、この端末機器が非アクティブ状態にあるときに、非アクティブ状態に対して構成されたモビリティ制御パラメータを使用してセル選択及び再選択を実行し、又はこのシステムブロードキャストメッセージから非アクティブ状態に対して構成されたモビリティ制御パラメータを取得できなかった場合、この端末機器が非アクティブ状態にあるときに、アイドル状態に対して構成されたモビリティ制御パラメータを使用してセル選択及び再選択を実行するための処理ユニットをさらに備える。
【００６６】
選択的に、本発明の実施例では、このモビリティ制御パラメータは、端末機器の移動状態の判定パラメータ、端末機器の移動状態の各パラメータのスケーリングパラメータ、及び周波数に基づくセル再選択優先度パラメータのうちの少なくとも１つのパラメータを含む。
【００６７】
選択的に、本発明の実施例では、この端末機器は、この端末機器が非アクティブ状態からアイドル状態に戻ったときに、ネットワーク機器により送信された指示情報を受信するための第２の受信ユニットをさらに備え、この指示情報は、この端末機器がアイドル状態にあるときに使用されるモビリティ制御パラメータを指示するために使用され、この端末機器がアイドル状態にあるときに使用されるモビリティ制御パラメータは、非アクティブ状態に対して構成されたモビリティ制御パラメータ、又はアイドル状態に対して構成されたモビリティ制御パラメータである。
【００６８】
選択的に、本発明の実施例では、この指示情報は、この端末機器が非アクティブ状態からアイドル状態になることを指示する変換シグナリング又はシステムブロードキャストメッセージにより運搬される。
【００６９】
本発明の実施例に係る端末機器３００は、本発明の方法の実施例における端末機器に対応でき、また、端末機器３００内の各ユニットの上記の及び他の動作及び／又は機能のそれぞれは、図３の方法における端末機器の対応するフローを実現するために使用されることが理解されるべきであり、簡潔にするために、ここで詳細な説明を省略する。
【００７０】
図６は、本発明の実施例に係るネットワーク機器４００を示す概略ブロック図である。図６に示すように、このネットワーク機器４００は、構成ユニット４１０を備える。
【００７１】
構成ユニット４１０は、端末機器のために非アクティブ状態に対するモビリティ制御パラメータを構成するために使用される。
【００７２】
したがって、本発明の実施例に係るネットワーク機器は、非アクティブ状態にある端末機器の移動性制御に有利である。
【００７３】
選択的に、本発明の実施例では、前記構成ユニットは具体的に、無線リソース制御ＲＲＣ専用シグナリング又はシステムブロードキャストメッセージを介して、前記端末機器に非アクティブ状態に対するモビリティ制御パラメータを送信するために使用される。
【００７４】
選択的に、本発明の実施例では、前記ＲＲＣ専用シグナリングは、ＲＲＣ接続解放メッセージであり、前記ＲＲＣ接続解放メッセージは、前記端末機器に非アクティブ状態に入ることを指示するために使用される。
【００７５】
選択的に、本発明の実施例では、前記ネットワーク機器は、前記端末機器が非アクティブ状態からアイドル状態に戻ったときに、前記端末機器に指示情報を送信するための送信ユニットをさらに備え、前記指示情報は、前記端末機器がアイドル状態にあるときに使用されるモビリティ制御パラメータを指示するために使用され、前記端末機器がアイドル状態にあるときに使用されるモビリティ制御パラメータは、非アクティブ状態に対して構成されたモビリティ制御パラメータ、又はアイドル状態に対して構成されたモビリティ制御パラメータである。
【００７６】
選択的に、本発明の実施例では、前記指示情報は、前記端末機器が非アクティブ状態からアイドル状態になることを指示する変換シグナリング又はシステムブロードキャストメッセージにより運搬される。
【００７７】
選択的に、本発明の実施例では、前記モビリティ制御パラメータは、端末機器の移動状態の判定パラメータ、端末機器の移動状態の各パラメータのスケーリングパラメータ、及び周波数に基づくセル再選択優先度パラメータのうちの少なくとも１つのパラメータを含む。
【００７８】
本発明の実施例に係るネットワーク機器４００は、本発明の方法の実施例におけるネットワーク機器に対応でき、また、ネットワーク機器４００内の各ユニットの上記の及び他の動作及び／又は機能のそれぞれは、図４の方法におけるネットワーク機器の対応するフローを実現するために使用されることが理解されるべきであり、簡潔にするために、ここで詳細な説明を省略する。
【００７９】
図７に示すように、本発明の実施例によれば、端末機器５００がさらに提供され、この端末機器５００は、図５の端末機器３００であってもよく、図３の方法１００に対応する端末機器の内容を実行するために使用されることができる。この端末機器５００は、入力インターフェース５１０、出力インターフェース５２０、プロセッサー５３０及びメモリ５４０を備え、この入力インターフェース５１０、出力インターフェース５２０、プロセッサー５３０及びメモリ５４０は、バスシステムを介して互いに接続されてもよい。このメモリ５４０は、プログラム、命令又はコードを記憶するために使用される。このプロセッサー５３０は、このメモリ５４０内のプログラム、命令又はコードを実行して、入力インターフェース５１０が信号を受信するように制御し、出力インターフェース５２０が信号を送信し、及び前述の方法の実施例における動作を完了するように制御するために使用される。
【００８０】
したがって、本発明の実施例に係る端末機器は、非アクティブ状態にある端末機器の移動性制御に有利である。
【００８１】
本発明の実施例では、このプロセッサー５３０は、中央処理装置（Ｃｅｎｔｒａｌ  Ｐｒｏｃｅｓｓｉｎｇ  Ｕｎｉｔ，ＣＰＵ）であってもよく、このプロセッサー５３０はまた、他の汎用プロセッサー、デジタル信号プロセッサー、特定用途向け集積回路、フィールドプログラマブルゲートアレイ又は他のプログラマブル論理デバイス、個別ゲート又はトランジスタ論理デバイス、個別ハードウェアコンポーネント等であってもよいことが理解されるべきである。汎用プロセッサーはマイクロプロセッサーであってもよいが、又は、このプロセッサーはまた、いずれかの通常のプロセッサー等であってもよい。
【００８２】
このメモリ５４０は、読み取り専用メモリ及びランダムアクセスメモリを含んでもよく、プロセッサー５３０に命令及びデータを提供する。メモリ５４０の一部は、また、不揮発性ランダムアクセスメモリを含んでもよい。例えば、メモリ５４０はまた、機器タイプの情報を記憶してもよい。
【００８３】
実現時に、上記方法の様々な内容は、プロセッサー５３０におけるハードウェアの集積論理回路又はソフトウェアの形の命令により完了されることができる。本発明の実施例に開示された方法の内容に関連して、直接にハードウェアプロセッサーにより実行されて完了し、又はプロセッサーにおけるハードウェア及びソフトウェアモジュールの組み合わせで実行して完了するように具現化されることができる。ソフトウェアモジュールは、ランダムアクセスメモリ、フラッシュメモリ、読み取り専用メモリ、プログラマブル読み取り専用メモリ又は電気的に消去可能なプログラマブルメモリ、レジスタ等の当技術分野で周知の記録媒体内に構成されてもよい。この記録媒体はメモリ５４０に構成され、プロセッサー５３０はメモリ５４０内の情報を読み取り、そのハードウェアと組み合わせて上記方法の内容を完了する。重複を避けるために、ここで詳細な説明を省略する。
【００８４】
一具体的な実施形態では、端末機器３００内の第１の受信ユニット及び第２の受信ユニットは、図７の入力インターフェース５１０により実現されてもよい。端末機器３００内の取得ユニット及び処理ユニットは、図７のプロセッサー５３０により実現されてもよい。
【００８５】
図８に示すように、本発明の実施例によれば、ネットワーク機器６００がさらに提供され、このネットワーク機器６００は、図６のネットワーク機器４００であってもよく、図４の方法２００に対応するネットワーク機器の内容を実行するために使用されることができる。このネットワーク機器６００は、入力インターフェース６１０、出力インターフェース６２０、プロセッサー６３０及びメモリ６４０を備え、この入力インターフェース６１０、出力インターフェース６２０、プロセッサー６３０及びメモリ６４０は、バスシステムを介して互いに接続されてもよい。このメモリ６４０は、プログラム、命令又はコードを記憶するために使用される。このプロセッサー６３０は、このメモリ６４０内のプログラム、命令又はコードを実行して、入力インターフェース６１０が信号を受信するように制御し、出力インターフェース６２０が信号を送信し、及び前述の方法の実施例における動作を完了するように制御するために使用される。
【００８６】
したがって、本発明の実施例に係るネットワーク機器は、非アクティブ状態にある端末機器の移動性制御に有利である。
【００８７】
本発明の実施例では、このプロセッサー６３０は、中央処理装置（Ｃｅｎｔｒａｌ  Ｐｒｏｃｅｓｓｉｎｇ  Ｕｎｉｔ，ＣＰＵ）であってもよく、このプロセッサー６３０はまた、他の汎用プロセッサー、デジタル信号プロセッサー、特定用途向け集積回路、フィールドプログラマブルゲートアレイ又は他のプログラマブル論理デバイス、個別ゲート又はトランジスタ論理デバイス、個別ハードウェアコンポーネント等であってもよいことが理解されるべきである。汎用プロセッサーはマイクロプロセッサーであってもよいが、又は、このプロセッサーはまた、いずれかの通常のプロセッサー等であってもよい。
【００８８】
このメモリ６４０は、読み取り専用メモリ及びランダムアクセスメモリを含んでもよく、プロセッサー６３０に命令及びデータを提供する。メモリ６４０の一部は、また、不揮発性ランダムアクセスメモリを含んでもよい。例えば、メモリ６４０はまた、機器タイプの情報を記憶してもよい。
【００８９】
実現時に、上記方法の様々な内容は、プロセッサー６３０におけるハードウェアの集積論理回路又はソフトウェアの形の命令により完了されることができる。本発明の実施例に開示された方法の内容に関連して、直接にハードウェアプロセッサーにより実行されて完了し、又はプロセッサーにおけるハードウェア及びソフトウェアモジュールの組み合わせで実行して完了するように具現化されることができる。ソフトウェアモジュールは、ランダムアクセスメモリ、フラッシュメモリ、読み取り専用メモリ、プログラマブル読み取り専用メモリ又は電気的に消去可能なプログラマブルメモリ、レジスタ等の当技術分野で周知の記録媒体内に構成されてもよい。この記録媒体はメモリ６４０に構成され、プロセッサー６３０はメモリ６４０内の情報を読み取り、そのハードウェアと組み合わせて上記方法の内容を完了する。重複を避けるために、ここで詳細な説明を省略する。
【００９０】
一具体的な実施形態では、ネットワーク機器４００内の構成ユニットは、図８のプロセッサー６３０により実現されてもよい。ネットワーク機器４００内の送信ユニットは、図８の出力インターフェース６１０により実現されてもよい。
【００９１】
当業者であれば、本明細書に開示された実施例に関連して説明された各例のユニット及びアルゴリズムステップが、電子ハードウェア、又はコンピュータソフトウェア及び電子ハードウェアの組み合わせで実現できることが認識される。これらの機能がハードウェアで実行されるかソフトウェアで実行されるかは、技術手段の特定のアプリケーション及び設計上の制約条件によって異なる。当業者であれば、特定の用途ごとに不同な方法を使用して記載された機能を実現できるが、このような実現が本発明の範囲を超えると考慮されるべきではない。
【００９２】
当業者であれば、説明の便宜及び簡潔さのために、上述のシステム、装置及びユニットの具体的な作業プロセスは、前述の方法の実施例に係る対応するプロセスを参照できることを理解することができ、ここで詳細な説明を省略する。
【００９３】
本発明に提供された幾つかの実施例において、開示されたシステム、装置及び方法は、他の方式で実現されてもよいことが理解されるべきである。例えば、上述のような装置の実施例は、単なる例にすぎず、例えば、このユニットの区分は、単なる論理的な機能による区分であり、実際に実現するときは他の区分方式であってもよく、例えば、複数のユニット又はコンポーネントが組み合わされるか又は別のシステムに集積されてもよく、或いは幾つかの特徴が省略され又は実行されなくてもよい。一方、示された又は解説された相互間の結合又は直接的な結合又は通信接続は、幾つかのインターフェイス、装置又はユニットによる間接的な結合又は通信接続であってもよく、電気的、機械的又は他の形態であってもよい。
【００９４】
この分離部材として説明されたユニットは、物理的に分離されてもよく、物理的に分離されなくてもよく、ユニットとして示された部材は、物理的なユニットであってもよく、物理的なユニットでなくてもよく、同じところに位置してもよく、複数のネットワークユニット上に分散されてもよい。実際の需要に応じて、一部又は全部のユニットを選択し、本実施例の目的を実現することができる。
【００９５】
なお、本発明の各実施例に係る各機能ユニットは、１つの処理ユニットに集積されていてもよく、各ユニットが単独に物理的に存在していてもよく、２つ又は２つ以上のユニットが１つのユニットに集積されていてもよい。
【００９６】
この機能がソフトウェア機能ユニットの形で実現され、且つ独立した製品として販売又は使用される場合には、１つのコンピュータ読み取り可能な記録媒体に記憶されることができる。このような理解に基づき、本発明の技術手段は本質的に、従来技術に貢献した部分又はこの技術手段の一部がソフトウェアプロダクトの状態で具現化されることができ、このコンピュータソフトウェアプロダクトは、１つの記録媒体に記憶され、１台のコンピュータ機器（パーソナルコンピュータ、サーバ、又はネットワーク機器等であってもよい）に本発明の各実施例のステップの全部又は一部を実行させる命令を若干備える。ここで、前述の記録媒体は、ＵＳＢメモリ、モバイルハードディスク、読み取り専用メモリ（Ｒｅａｄ  Ｏｎｌｙ  Ｍｅｍｏｒｙ，ＲＯＭ）、ランダムアクセスメモリ（Ｒａｎｄｏｍ  Ａｃｃｅｓｓ  Ｍｅｍｏｒｙ，ＲＡＭ）、磁気ディスク、又は光ディスク等のプログラムコードを記憶可能な様々な媒体を含む。
【００９７】
以上は、本発明の具体的な実施形態にすぎず、本発明の範囲はこれらに限定されない。この技術分野の当業者であれば、いずれも本発明に提示された技術範囲内で、変更又は置き換えを行うことを容易に想到し得るものがいずれも本発明の範囲に含まれる。したがって、本発明の範囲は、特許請求の範囲により示される。
【図１】
2020532152.tif 000003
【図２】
2020532152.tif 000004
【図３】
2020532152.tif 000005
【図４】
2020532152.tif 000006
【図５】
2020532152.tif 000007
【図６】
2020532152.tif 000008
【図７】
2020532152.tif 000009
【図８】
2020532152.tif 000010
【手続補正書】
【提出日】令和2年2月28日(2020.2.28)
【手続補正１】
【補正対象書類名】明細書
【補正対象項目名】全文
【補正方法】変更
【補正の内容】
【発明の詳細な説明】
【技術分野】
【０００１】
本発明の実施例は、通信分野に関し、より詳細には、無線通信の方法、端末機器及びネットワーク機器に関する。
【背景技術】
【０００２】
新無線（Ｎｅｗ  Ｒａｄｉｏ、ＮＲ）では、無線シグナリングを低減し、無線接続を迅速に回復し、及びデータサービスを迅速に回復するために、新たな無線リソース制御（Ｒａｄｉｏ  Ｒｅｓｏｕｒｃｅ  Ｃｏｎｔｒｏｌ，ＲＲＣ）状態、即ち、ＲＲＣ非アクティブ（ＲＲＣ＿ＩＮＡＣＴＩＶＥ）状態が定義されている。端末機器がＲＲＣ非アクティブ状態でセル選択及び再選択を如何に行うかが解決すべき問題である。
【発明の概要】
【発明が解決しようとする課題】
【０００３】
これに鑑みて、本発明の実施例は、非アクティブ状態にある端末機器の移動性制御に有利な無線通信の方法、端末機器及びネットワーク機器を提供する。
【課題を解決するための手段】
【０００４】
第１の態様によれば、無線通信の方法が提供され、この方法は、端末機器が、非アクティブ状態でセル選択及び再選択を実行するために使用されるモビリティ制御パラメータを取得するステップを含む。
【０００５】
一可能な実現形態では、この端末機器が、非アクティブ状態でセル選択及び再選択を実行するために使用されるモビリティ制御パラメータを取得するステップは、この端末機器が、ネットワーク機器により送信されたＲＲＣ専用シグナリングから、非アクティブ状態に対して構成されたモビリティ制御パラメータを取得するステップを含む。
【０００６】
一可能な実現形態では、この方法は、この端末機器が、このネットワーク機器により送信された無線リソース制御ＲＲＣ接続解放メッセージを受信するステップをさらに含み、このＲＲＣ接続解放メッセージは、この端末機器に非アクティブ状態に入ることを指示するために使用され、このＲＲＣ接続解放メッセージは、このモビリティ制御パラメータを含み、この端末機器が、ネットワーク機器により送信されたＲＲＣ専用シグナリングから、非アクティブ状態に対して構成されたモビリティ制御パラメータを取得するステップは、この端末機器が、このＲＲＣ接続解放メッセージから、この非アクティブ状態に対して構成されたモビリティ制御パラメータを取得するステップを含む。
【０００７】
一可能な実現形態では、この端末機器が、非アクティブ状態で無線リソース制御ＲＲＣ接続を回復するために使用されるモビリティ制御パラメータを取得するステップは、この端末機器が、システムブロードキャストメッセージから、このモビリティ制御パラメータを取得するステップを含む。
【０００８】
一可能な実現形態では、この方法は、この端末機器がこのシステムブロードキャストメッセージから非アクティブ状態に対して構成されたモビリティ制御パラメータを取得した場合、この端末機器が非アクティブ状態にあるときに、非アクティブ状態に対して構成されたモビリティ制御パラメータを使用してセル選択及び再選択を実行するステップ、又はこの端末機器がこのシステムブロードキャストメッセージから非アクティブ状態に対して構成されたモビリティ制御パラメータを取得できなかった場合、この端末機器が非アクティブ状態にあるときに、アイドル状態に対して構成されたモビリティ制御パラメータを使用してセル選択及び再選択を実行するステップをさらに含む。
【０００９】
一可能な実現形態では、このモビリティ制御パラメータは、端末機器の移動状態の判定パラメータ、端末機器の移動状態の各パラメータのスケーリングパラメータ、及び周波数に基づくセル再選択優先度パラメータのうちの少なくとも１つのパラメータを含む。
【００１０】
一可能な実現形態では、この方法は、この端末機器が非アクティブ状態からアイドル状態に戻ったときに、この端末機器が、ネットワーク機器により送信された指示情報を受信するステップをさらに含み、この指示情報は、この端末機器がアイドル状態にあるときに使用されるモビリティ制御パラメータを指示するために使用され、この端末機器がアイドル状態にあるときに使用されるモビリティ制御パラメータは、非アクティブ状態に対して構成されたモビリティ制御パラメータ、又はアイドル状態に対して構成されたモビリティ制御パラメータである。
【００１１】
一可能な実現形態では、この指示情報は、この端末機器が非アクティブ状態からアイドル状態になることを指示する変換シグナリング又はシステムブロードキャストメッセージにより運搬される。
【００１２】
第２の態様によれば、無線通信の方法が提供され、この方法は、ネットワーク機器が、端末機器のために非アクティブ状態に対するモビリティ制御パラメータを構成するステップと、このネットワーク機器が、この端末機器にこの非アクティブ状態に対するモビリティ制御パラメータを送信するステップと、を含む。
【００１３】
一可能な実現形態では、このネットワーク機器が、この端末機器にこの非アクティブ状態に対するモビリティ制御パラメータを送信するステップは、このネットワーク機器が、無線リソース制御ＲＲＣ専用シグナリング又はシステムブロードキャストメッセージを介して、この端末機器に非アクティブ状態に対するモビリティ制御パラメータを送信するステップを含む。
【００１４】
一可能な実現形態では、このＲＲＣ専用シグナリングは、ＲＲＣ接続解放メッセージであり、このＲＲＣ接続解放メッセージは、この端末機器に非アクティブ状態に入ることを指示するために使用される。
【００１５】
一可能な実現形態では、この方法は、この端末機器が非アクティブ状態からアイドル状態に戻ったときに、このネットワーク機器が、この端末機器に指示情報を送信するステップをさらに含み、この指示情報は、この端末機器がアイドル状態にあるときに使用されるモビリティ制御パラメータを指示するために使用され、この端末機器がアイドル状態にあるときに使用されるモビリティ制御パラメータは、非アクティブ状態に対して構成されたモビリティ制御パラメータ、又はアイドル状態に対して構成されたモビリティ制御パラメータである。
【００１６】
一可能な実現形態では、この指示情報は、この端末機器が非アクティブ状態からアイドル状態になることを指示する変換シグナリング又はシステムブロードキャストメッセージにより運搬される。
【００１７】
一可能な実現形態では、このモビリティ制御パラメータは、端末機器の移動状態の判定パラメータ、端末機器の移動状態の各パラメータのスケーリングパラメータ、及び周波数に基づくセル再選択優先度パラメータのうちの少なくとも１つのパラメータを含む。
【００１８】
第３の態様によれば、上記の第１の態様又は第１の態様の任意の可能な実現形態に係る方法を実行するための端末機器が提供される。具体的に、この端末機器は、上記の第１の態様又は第１の態様の任意の可能な実現形態に係る方法を実行するためのユニットを備える。
【００１９】
第４の態様によれば、上記の第２の態様又は第２の態様の任意の可能な実現形態に係る方法を実行するためのネットワーク機器が提供される。具体的に、このネットワーク機器は、上記の第２の態様又は第２の態様の任意の可能な実現形態に係る方法を実行するためのユニットを備える。
【００２０】
第５の態様によれば、端末機器が提供され、この端末機器は、メモリ、プロセッサー、入力インターフェース及び出力インターフェースを備える。ここで、メモリ、プロセッサー、入力インターフェース及び出力インターフェースは、バスシステムを介して互いに接続される。このメモリは、命令を記憶するために使用され、このプロセッサーは、このメモリに記憶された命令を実行することで、上記の第１の態様又は第１の態様の任意の可能な実現形態に係る方法を実行するために使用される。
【００２１】
第６の態様によれば、ネットワーク機器が提供され、このネットワーク機器は、メモリ、プロセッサー、入力インターフェース及び出力インターフェースを備える。ここで、メモリ、プロセッサー、入力インターフェース及び出力インターフェースは、バスシステムを介して互いに接続される。このメモリは、命令を記憶するために使用され、このプロセッサーは、このメモリに記憶された命令を実行することで、上記の第２の態様又は第２の態様の任意の可能な実現形態に係る方法を実行するために使用される。
【００２２】
第７の態様によれば、上記の第１の態様又は第１の態様の任意の可能な実現形態に係る方法、又は上記の第２の態様又は第２の態様の任意の可能な実現形態に係る方法を実行するために使用されるコンピュータソフトウェア命令を記憶するためのコンピュータ記録媒体が提供され、上記の態様を実行するために設計されたプログラムが含まれる。
【００２３】
第８の態様によれば、命令を含むコンピュータプログラム製品が提供され、コンピュータ上で実行されると、上記の第１の態様又は第１の態様のいずれかの選択可能な実現形態に係る方法、又は上記の第２の態様又は第２の態様のいずれかの選択可能な実現形態に係る方法をコンピュータに実行させる。
【００２４】
本発明のこれらの態様又は他の態様は、以下の実施例の説明においてさらに分かりやすくなるであろう。
【図面の簡単な説明】
【００２５】
【図１】本発明の実施例に係る１つの応用シーンを示す模式図である。
【図２】ＥＰＳベアラサービスアーキテクチャを示す概略ブロック図である。
【図３】本発明の実施例に係る無線通信の方法を示す概略ブロック図である。
【図４】本発明の実施例に係る無線通信の方法を示す別の概略ブロック図である。
【図５】本発明の実施例に係る端末機器を示す概略ブロック図である。
【図６】本発明の実施例に係るネットワーク機器を示す概略ブロック図である。
【図７】本発明の実施例に係る端末機器を示す別の概略ブロック図である。
【図８】本発明の実施例に係るネットワーク機器を示す別の概略ブロック図である。
【発明を実施するための形態】
【００２６】
以下は、本発明の実施例に係る図面を参考しながら、本発明の実施例に係る技術手段をより明確且つ完全に説明する。
【００２７】
本発明の実施例に係る技術手段は、グローバルモバイル通信（Ｇｌｏｂａｌ  Ｓｙｓｔｅｍ  ｏｆ  Ｍｏｂｉｌｅ  ｃｏｍｍｕｎｉｃａｔｉｏｎ，ＧＳＭ）システム、符号分割多元接続（Ｃｏｄｅ  Ｄｉｖｉｓｉｏｎ  Ｍｕｌｔｉｐｌｅ  Ａｃｃｅｓｓ，ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ，ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ，ＧＰＲＳ）、ロングタームエボリューション（Ｌｏｎｇ  Ｔｅｒｍ  Ｅｖｏｌｕｔｉｏｎ，ＬＴＥ）システム、ＬＴＥ周波数分割複信（Ｆｒｅｑｕｅｎｃｙ  Ｄｉｖｉｓｉｏｎ  Ｄｕｐｌｅｘ，ＦＤＤ）システム、ＬＴＥ時分割複信（Ｔｉｍｅ  Ｄｉｖｉｓｉｏｎ  Ｄｕｐｌｅｘ，ＴＤＤ）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ，ＵＭＴＳ）、グローバル相互接続マイクロ波アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ，ＷｉＭＡＸ）通信システム、新無線（Ｎｅｗ  Ｒａｄｉｏ，ＮＲ）又は未来の５Ｇシステム等のような様々な通信システムに適用されることが理解されるべきである。
【００２８】
特に、本発明の実施例に係る技術手段は、散在符号多元接続（Ｓｐａｒｓｅ  Ｃｏｄｅ  Ｍｕｌｔｉｐｌｅ  Ａｃｃｅｓｓ，ＳＣＭＡ）システム、低密度シグネチャ（Ｌｏｗ  Ｄｅｎｓｉｔｙ  Ｓｉｇｎａｔｕｒｅ，ＬＤＳ）システム等のような様々な非直交多元接続技術に基づく通信システムに適用され、もちろん、ＳＣＭＡシステム及びＬＤＳシステムは通信分野において他の名称と称されてもよく、さらに、本発明の実施例に係る技術手段は、非直交多元接続技術を採用した直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ，ＯＦＤＭ）、フィルターバンクマルチキャリア（Ｆｉｌｔｅｒ  Ｂａｎｋ  Ｍｕｌｔｉ−Ｃａｒｒｉｅｒ，ＦＢＭＣ）、一般的な周波数分割多重化（Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ，ＧＦＤＭ）、フィルタリング直交周波数分割多重化（Ｆｉｌｔｅｒｅｄ−ＯＦＤＭ，Ｆ−ＯＦＤＭ）システム等のような非直交多元接続技術を採用したマルチキャリア伝送システムに適用される。
【００２９】
本発明の実施例に係る端末機器は、ユーザ機器（Ｕｓｅｒ  Ｅｑｕｉｐｍｅｎｔ，ＵＥ）、アクセス端末、ユーザユニット、ユーザ局、移動局、モバイルステーション、遠隔局、遠隔端末、モバイル機器、ユーザ端末、端末、無線通信機器、ユーザエージェント又はユーザ装置を指してもよい。アクセス端末は、携帯電話、コードレス電話、セッション確立プロトコル（Ｓｅｓｓｉｏｎ  Ｉｎｉｔｉａｔｉｏｎ  Ｐｒｏｔｏｃｏｌ，ＳＩＰ）電話、ワイヤレスローカルループ（Ｗｉｒｅｌｅｓｓ  Ｌｏｃａｌ  Ｌｏｏｐ，ＷＬＬ）局、携帯情報端末（Ｐｅｒｓｏｎａｌ  Ｄｉｇｉｔａｌ  Ａｓｓｉｓｔａｎｔ，ＰＤＡ）、無線通信機能のあるハンドヘルド機器、計算機器又は無線モデムに接続する他の処理機器、車載機器、ウェアラブル機器及び未来５Ｇネットワークにおける端末機器又は未来進化の公衆陸上移動通信ネットワーク（Ｐｕｂｌｉｃ  Ｌａｎｄ  Ｍｏｂｉｌｅ  Ｎｅｔｗｏｒｋ，ＰＬＭＮ）における端末機器等であってもよく、本発明の実施例では限定をしない。
【００３０】
本発明の実施例に係るネットワーク機器は、端末機器と通信するために使用される機器であってもよく、このネットワーク機器は、ＧＳＭ又はＣＤＭＡにおける基地局（Ｂａｓｅ  Ｔｒａｎｓｃｅｉｖｅｒ  Ｓｔａｔｉｏｎ，ＢＴＳ）であってもよいが、ＷＣＤＭＡシステムにおける基地局（ＮｏｄｅＢ，ＮＢ）であってもよく、また、ＬＴＥシステムにおける進化型基地局（Ｅｖｏｌｕｔｉｏｎａｌ  Ｎｏｄｅ  Ｂ，ｅＮＢ又はｅＮｏｄｅＢ）であってもよいが、クラウド無線アクセスネットワーク（Ｃｌｏｕｄ  Ｒａｄｉｏ  Ａｃｃｅｓｓ  Ｎｅｔｗｏｒｋ，ＣＲＡＮ）シナリオでのワイヤレスコントローラであってもよく、又はこのネットワーク機器は、中継局、アクセスポイント、車載機器、ウェアラブル機器、及び未来５Ｇネットワークにおけるネットワーク機器又は未来進化のＰＬＭＮネットワークにおけるネットワーク機器等であってもよく、本発明の実施例では限定をしない。
【００３１】
図１は、本発明の実施例に係る１つの応用シーンの模式図である。図１に係る通信システムは、端末機器１０及びネットワーク機器２０を備えてもよい。ネットワーク機器２０は、端末機器１０に対して通信サービスを提供し、コアネットワークにアクセスするように構成され、端末機器１０は、ネットワーク機器２０が送信した同期信号、ブロードキャスト信号等をサーチすることによりネットワークにアクセスし、これにより、ネットワークとの通信を行う。図１に示す矢印は、端末機器１０とネットワーク機器２０との間のセルラーリンクを介して行われる上り／下り伝送を表してもよい。
【００３２】
本発明の実施例の理解を容易にするために、まず、進化型パケットシステム（Ｅｖｏｌｖｅｄ  Ｐａｃｋｅｔ  Ｓｙｓｔｅｍ，ＥＰＳ）ベアラサービスアーキテクチャにおける幾つかの要素を図２に関連して簡単に説明する。図２に示すように、このネットワークアーキテクチャは主に、進化型ユニバーサル移動体通信システム地上無線アクセスネットワーク（Ｅｖｏｌｖｅｄ  −Ｕｎｉｖｅｒｓａｌ  Ｍｏｂｉｌｅ  Ｔｅｌｅｃｏｍｍｕｎｉｃａｔｉｏｎ  Ｓｙｓｔｅｍ  Ｔｅｒｒｅｓｔｒｉａｌ  Ｒａｄｉｏ  Ａｃｃｅｓｓ  Ｎｅｔｗｏｒｋ，Ｅ−ＵＴＲＡＮ）及び進化型パケットコア（Ｅｖｏｌｖｅｄ  Ｐａｃｋｅｔ  Ｃｏｒｅ，ＥＰＣ）を含み、ここで、ＥＰＣは、サービングゲートウェイ（Ｓｅｒｖｉｎｇ  Ｇａｔｅｗａｙ，Ｓ−ＧＷ）及びパケットデータネットワークゲートウェイ（Ｐａｃｋｅｔ  Ｄａｔａ  Ｎｅｔｗｏｒｋ  Ｇａｔｅｗａｙ，Ｐ−ＧＷ）を含む。ＥＰＳベアラのサービスアーキテクチャでは、エンドツーエンドサービスは、ＥＰＳベアラと外部ベアラとの２つの部分に分解することができる。ここで、１つの進化型無線アクセスベアラ（Ｅｖｏｌｖｅｄ  Ｒａｄｉｏ  Ａｃｃｅｓｓ  Ｂｅａｒｅｒ，Ｅ−ＲＡＢ）は、ＵＥと進化型ＥＰＣとの間で１つのＥＰＳベアラのパケットを伝送するために使用され、Ｅ−ＲＡＢとＥＰＳベアラとの間は、１対１の対応関係を有する。１つの無線ベアラは、ＵＥとｅＮｏｄｅＢとの間で１つのＥ−ＲＡＢベアラのパケットを伝送するために使用され、無線ベアラとＥ−ＲＡＢ／ＥＰＳベアラとの間は、１対１の対応関係を有する。１つのＳ１ベアラは、ｅＮｏｄｅＢと１つのＳ−ＧＷとの間で１つのＥ−ＲＡＢベアラのパケットを伝送するために使用される。１つのＳ５／Ｓ８ベアラは、Ｓ−ＧＷとＰ−ＧＷとの間で１つのＥＰＳベアラのパケットを伝送するために使用され、外部ベアラは、ＥＰＣとピアエンティティとの間の情報を伝送するために使用される。
【００３３】
ＬＴＥシステムでは、ＵＥのＲＲＣ状態は主に、ＲＲＣアイドル状態及びＲＲＣ接続状態を含む。ここで、ＲＲＣアイドル状態：Ｓ５／Ｓ８ベアラが存在し、無線ベアラ及びＳ１ベアラが存在せず、コアネットワーク側がＵＥコンテキストを保持し、ｅＮｏｄｅＢ及びＵＥが互のコンテキストを保持せず、端末がタイミングアドバンス（Ｔｉｍｅ  ａｄｖａｎｃｅ，ＴＡ）内の固有の識別子（通常は、一時的なモバイル加入者識別子（Ｔｅｍｐｏｒａｒｙ  Ｍｏｂｉｌｅ  Ｓｕｂｓｃｒｉｂｅｒ  ＩＤｅｎｔｉｔｙ，ＴＭＳＩ））を保持する。ＲＲＣアイドル状態にあるＵＥは、ネットワークとのデータ交換、非アクセス層（Ｎｏｎ−ａｃｃｅｓｓ  ｓｔｒａｔｕｍ，ＮＡＳ）によって構成された不連続受信（Ｄｉｓｃｏｎｔｉｎｕｏｕｓ  Ｒｅｃｅｐｔｉｏｎ，ＤＲＸ）プロセス、システム情報ブロードキャスト及びページング、隣接セル測定、セル再選択の移動性、測定報告のない報告等の動作があってはいけない。ＲＲＣ接続状態：Ｓ５／Ｓ８ベアラ、Ｓ１ベアラ及び無線ベアラが存在し、コアネットワーク、ｅＮｏｄｅＢ及びＵＥがいずれも対応するコンテキストを保持し、ｅＮｏｄｅＢがアクセス層（ａｃｃｅｓｓ  ｓｔｒａｔｕｍ，ＡＳ）識別子（通常は、セル無線ネットワーク一時識別子（Ｃｅｌｌ  Ｒａｄｉｏ  Ｎｅｔｗｏｒｋ  Ｔｅｍｐｏｒａｒｙ  ＩＤｅｎｔｉｆｉｅｒ，Ｃ−ＲＮＴＩ））を割り当てる。ＲＲＣ接続状態にあるＵＥは、ネットワークとデータを交換することができ、ＡＳによって構成されたＤＲＸ、ハンドオーバの移動性、チャネル測定をネットワーク側に報告する等の動作が存在し得る。
【００３４】
５Ｇシステムでは、第３の状態、即ち、ＲＲＣ非アクティブ状態が導入されている。ＲＲＣ非アクティブ状態：Ｓ５／Ｓ８ベアラ、Ｓ１ベアラ及び一部の無線ベアラが存在し、コアネットワーク、ｅＮｏｄｅＢ及びＵＥがいずれも対応するコンテキストを保持し、ｅＮｏｄｅＢがアクセス層ＡＳ識別子（通常は、回復（Ｒｅｓｕｍｅ）識別子（ＩＤｅｎｔｉｆｉｃａｔｉｏｎ，ＩＤ））を割り当てる。ＲＲＣ非アクティブ状態にあるＵＥは、セル再選択の移動性を有し、測定報告がなく、小さいデータの送信及び受信を行うことができ、ＡＳによって構成されたＤＲＸが存在し得る。
【００３５】
図３は、本発明の実施例に係る無線通信の方法１００を示す概略ブロック図である。図３に示すように、この方法１００は、以下の内容の一部又は全部を含む。
【００３６】
Ｓ１１０：端末機器が、非アクティブ状態でセル選択及び再選択を実行するために使用されるモビリティ制御パラメータを取得する。
【００３７】
本発明の実施例に係る非アクティブ状態が、即ち上記ＲＲＣアクティブ状態であることが理解されるべきである。端末機器は、例えば、ＲＲＣ専用シグナリング又はシステムブロードキャストメッセージを介して、非アクティブ状態でセル選択及び再選択を実行するために使用されるモビリティ制御パラメータを取得できる。このモビリティ制御パラメータは、端末機器の移動状態の判定パラメータ、端末機器の移動状態の各パラメータのスケーリングパラメータ、及び周波数に基づくセル再選択優先度パラメータのうちの少なくとも１つのパラメータを含んでもよい。端末機器の移動状態とは、所定時間におけるセル再選択の回数として定義されてもよく、高速移動状態、中速移動状態及び正常移動状態を含んでもよい。この端末機器の移動状態の判定パラメータは、例えば、端末機器が中速又は高速移動状態判定に入ったことを指示するためのタイムウィンドウＴＣＲｍａｘ、高速移動状態判定を指示するためのセル再選択回数閾値ＮＣＲ＿Ｈ、中速移動状態判定を指示するためのセル再選択回数閾値ＮＣＲ＿Ｍ、又は端末機器が中速／高速移動状態判定を離れたことを指示するためのタイムウィンドウＴＣＲｍａｘＨｙｓｔであってもよい。スケーリングパラメータは、セル選択及び再選択パラメータで使用される幾つかの２次的なパラメータであって、実際には１つの値であり、端末機器の移動状態の各パラメータに１つのスケール係数を掛けて、セル選択又は再選択の判定に使用することができ、これにより、移動速度が端末機器の移動性能に与える影響を低減させる。周波数に基づくセル再選択優先度パラメータとは、異なる周波数間の絶対的な優先度であり、端末機器がセル選択及び再選択を行うときに考慮する必要があるパラメータである。
【００３８】
選択的に、本発明の実施例では、この端末機器が、非アクティブ状態でセル選択及び再選択を実行するために使用されるモビリティ制御パラメータを取得するステップは、この端末機器が、ネットワーク機器により送信されたＲＲＣ専用シグナリングから、非アクティブ状態に対して構成されたモビリティ制御パラメータを取得するステップを含む。
【００３９】
ネットワーク機器は、端末機器がＲＲＣ非アクティブ状態にあるときにセル選択及び再選択を行うために、ＲＲＣ非アクティブ状態にある端末機器のために専用のモビリティ制御パラメータを構成することができ、ＲＲＣ非アクティブ状態にある端末機器のために専用のモビリティ制御パラメータが構成されているので、端末機器の移動性制御はより正確である。ネットワーク機器は、ＲＲＣ専用シグナリングを介して端末機器にこのモビリティ制御パラメータを指示することができる。
【００４０】
さらに、端末機器は、このネットワーク機器により送信された無線リソース制御ＲＲＣ接続解放メッセージを受信でき、このＲＲＣ接続解放メッセージは、この端末機器に非アクティブ状態に入ることを指示するために使用され、このＲＲＣ接続解放メッセージは、このモビリティ制御パラメータを含み、この端末機器は、このＲＲＣ接続解放メッセージから、この非アクティブ状態に対して構成されたモビリティ制御パラメータを取得できる。
【００４１】
端末機器がＲＲＣアクティブ状態にあるとき、サービスが一時的に行われない場合、ネットワーク機器は、端末機器に非アクティブ状態に入ることを指示することができ、例えば、このＲＲＣ接続解放メッセージに一つの指示又は解放原因値を追加して、端末機器に非アクティブ状態に入ることを指示することができる。同時に、このＲＲＣ接続解放メッセージに、ネットワーク機器が端末機器のために構成した非アクティブ状態に対するモビリティ制御パラメータが含まれてもよい。
【００４２】
選択的に、本発明の実施例では、この端末機器が、非アクティブ状態で無線リソース制御ＲＲＣ接続を回復するために使用されるモビリティ制御パラメータを取得するステップは、この端末機器が、システムブロードキャストメッセージから、このモビリティ制御パラメータを取得するステップを含む。
【００４３】
端末機器がＲＲＣ専用シグナリングからこのモビリティ制御パラメータを取得できる場合、端末機器は、このＲＲＣ専用シグナリングで取得したモビリティ制御パラメータを使用してセル選択及び再選択を実行してもよいが、端末機器がＲＲＣ専用シグナリングからこのモビリティ制御パラメータを取得できない場合、端末機器は、システムブロードキャストメッセージから取得したモビリティ制御パラメータを使用してセル選択及び再選択を実行してもよい。
【００４４】
選択的に、本発明の実施例では、この方法は、この端末機器がこのシステムブロードキャストメッセージから非アクティブ状態に対して構成されたモビリティ制御パラメータを取得した場合、この端末機器が非アクティブ状態にあるときに、非アクティブ状態に対して構成されたモビリティ制御パラメータを使用してセル選択及び再選択を実行するステップ、又はこの端末機器がこのシステムブロードキャストメッセージから非アクティブ状態に対して構成されたモビリティ制御パラメータを取得できなかった場合、この端末機器が非アクティブ状態にあるときに、アイドル状態に対して構成されたモビリティ制御パラメータを使用してセル選択及び再選択を実行するステップをさらに含む。具体的に、システムブロードキャストは、アイドル状態に対して構成されたモビリティ制御パラメータをブロードキャストし、また、非アクティブ状態に対して構成されたモビリティ制御パラメータをブロードキャストすることができる。
【００４５】
選択的に、本発明の実施例では、この方法は、この端末機器が非アクティブ状態からアイドル状態に戻ったときに、この端末機器が、ネットワーク機器により送信された指示情報を受信するステップをさらに含み、この指示情報は、この端末機器がアイドル状態にあるときに使用されるモビリティ制御パラメータを指示するために使用され、この端末機器がアイドル状態にあるときに使用されるモビリティ制御パラメータは、非アクティブ状態に対して構成されたモビリティ制御パラメータ、又はアイドル状態に対して構成されたモビリティ制御パラメータである。
【００４６】
端末機器が非アクティブ状態からアイドル状態に戻ったときに、ネットワーク機器は、端末機器が非アクティブ状態に対して構成されたモビリティ制御パラメータを使用し続けるか、それともアイドル状態に対して構成されたモビリティ制御パラメータを使用するかを指示することができる。具体的に、この指示情報は、この端末機器が非アクティブ状態からアイドル状態になることを指示する変換シグナリング又はシステムブロードキャストメッセージにより運搬される。
【００４７】
図４は、本発明の実施例に係る無線通信の方法２００を示す概略ブロック図である。図４に示すように、この方法２００は、以下の内容の一部又は全部を含む。
【００４８】
Ｓ２１０：ネットワーク機器が、端末機器のために非アクティブ状態に対するモビリティ制御パラメータを構成する。
【００４９】
したがって、本発明の実施例に係る方法は、非アクティブ状態にある端末機器の移動性制御に有利である。
【００５０】
選択的に、本発明の実施例では、前記ネットワーク機器が、端末機器のために非アクティブ状態に対するモビリティ制御パラメータを構成するステップは、前記ネットワーク機器が、無線リソース制御ＲＲＣ専用シグナリング又はシステムブロードキャストメッセージを介して、前記端末機器に非アクティブ状態に対するモビリティ制御パラメータを送信するステップを含む。
【００５１】
選択的に、本発明の実施例では、前記ＲＲＣ専用シグナリングは、ＲＲＣ接続解放メッセージであり、前記ＲＲＣ接続解放メッセージは、前記端末機器に非アクティブ状態に入ることを指示するために使用される。
【００５２】
選択的に、本発明の実施例では、前記方法は、前記端末機器が非アクティブ状態からアイドル状態に戻ったときに、前記ネットワーク機器が、前記端末機器に指示情報を送信するステップをさらに含み、前記指示情報は、前記端末機器がアイドル状態にあるときに使用されるモビリティ制御パラメータを指示するために使用され、前記端末機器がアイドル状態にあるときに使用されるモビリティ制御パラメータは、非アクティブ状態に対して構成されたモビリティ制御パラメータ、又はアイドル状態に対して構成されたモビリティ制御パラメータである。
【００５３】
選択的に、本発明の実施例では、前記指示情報は、前記端末機器が非アクティブ状態からアイドル状態になることを指示する変換シグナリング又はシステムブロードキャストメッセージにより運搬される。
【００５４】
選択的に、本発明の実施例では、前記モビリティ制御パラメータは、端末機器の移動状態の判定パラメータ、端末機器の移動状態の各パラメータのスケーリングパラメータ、及び周波数に基づくセル再選択優先度パラメータのうちの少なくとも１つのパラメータを含む。
【００５５】
また、ネットワーク機器に関して説明されたネットワーク機器と端末機器との間のインタラクション及び関連特性、機能等は、端末機器の関連特性、機能に対応していることが理解されるべきである。つまり、端末機器がネットワーク機器に何かメッセージを送信すると、ネットワーク機器は端末機器から対応するメッセージを受信する。
【００５６】
また、本発明の各実施例では、上記の各フローの番号の大きさは、実行する前後順序を意味するものではなく、各フローの実行順序は、その機能及び内部論理により決定されるべきであり、本発明の実施例に係る実施フローに対していずれかの限定を構成しないことが理解されるべきである。
【００５７】
また、本明細書における用語「及び／又は」は、関連するオブジェクトを説明する関連付けにすぎず、３つの関係が存在できることを表し、例えば、Ａ及び／又はＢは、Ａが単独に存在し、Ａ及びＢが同時に存在し、Ｂが単独に存在する３つの場合を表すことが理解されるべきである。また、本明細書における符号「／」は、一般的に前後関連するオブジェクトの間が「又は」の関係であることを表す。
【００５８】
以上、本発明の実施例に係る無線通信の方法を詳細に説明しており、以下は、図５乃至図８に関連して、本発明の実施例に係る無線通信の装置を説明し、方法の実施例で説明された技術的特徴は下記の装置の実施例に適用される。
【００５９】
図５は、本発明の実施例に係る端末機器３００を示す概略ブロック図である。図５に示すように、この端末機器３００は、取得ユニット３１０を備える。
【００６０】
取得ユニット３１０は、非アクティブ状態でセル選択及び再選択を実行するために使用されるモビリティ制御パラメータを取得するために使用される。
【００６１】
したがって、本発明の実施例に係る端末機器は、非アクティブ状態にある端末機器の移動性制御に有利である。
【００６２】
選択的に、本発明の実施例では、この取得ユニットは具体的に、ネットワーク機器により送信されたＲＲＣ専用シグナリングから、非アクティブ状態に対して構成されたモビリティ制御パラメータを取得するために使用される。
【００６３】
選択的に、本発明の実施例では、この端末機器は、このネットワーク機器により送信された無線リソース制御ＲＲＣ接続解放メッセージを受信するための第１の受信ユニットをさらに備え、このＲＲＣ接続解放メッセージは、この端末機器に非アクティブ状態に入ることを指示するために使用され、このＲＲＣ接続解放メッセージは、このモビリティ制御パラメータを含み、この取得ユニットは具体的に、このＲＲＣ接続解放メッセージから、この非アクティブ状態に対して構成されたモビリティ制御パラメータを取得するために使用される。
【００６４】
選択的に、本発明の実施例では、この取得ユニットは具体的に、システムブロードキャストメッセージから、このモビリティ制御パラメータを取得するために使用される。
【００６５】
選択的に、本発明の実施例では、この端末機器は、このシステムブロードキャストメッセージから非アクティブ状態に対して構成されたモビリティ制御パラメータを取得した場合、この端末機器が非アクティブ状態にあるときに、非アクティブ状態に対して構成されたモビリティ制御パラメータを使用してセル選択及び再選択を実行し、又はこのシステムブロードキャストメッセージから非アクティブ状態に対して構成されたモビリティ制御パラメータを取得できなかった場合、この端末機器が非アクティブ状態にあるときに、アイドル状態に対して構成されたモビリティ制御パラメータを使用してセル選択及び再選択を実行するための処理ユニットをさらに備える。
【００６６】
選択的に、本発明の実施例では、このモビリティ制御パラメータは、端末機器の移動状態の判定パラメータ、端末機器の移動状態の各パラメータのスケーリングパラメータ、及び周波数に基づくセル再選択優先度パラメータのうちの少なくとも１つのパラメータを含む。
【００６７】
選択的に、本発明の実施例では、この端末機器は、この端末機器が非アクティブ状態からアイドル状態に戻ったときに、ネットワーク機器により送信された指示情報を受信するための第２の受信ユニットをさらに備え、この指示情報は、この端末機器がアイドル状態にあるときに使用されるモビリティ制御パラメータを指示するために使用され、この端末機器がアイドル状態にあるときに使用されるモビリティ制御パラメータは、非アクティブ状態に対して構成されたモビリティ制御パラメータ、又はアイドル状態に対して構成されたモビリティ制御パラメータである。
【００６８】
選択的に、本発明の実施例では、この指示情報は、この端末機器が非アクティブ状態からアイドル状態になることを指示する変換シグナリング又はシステムブロードキャストメッセージにより運搬される。
【００６９】
本発明の実施例に係る端末機器３００は、本発明の方法の実施例における端末機器に対応でき、また、端末機器３００内の各ユニットの上記の及び他の動作及び／又は機能のそれぞれは、図３の方法における端末機器の対応するフローを実現するために使用されることが理解されるべきであり、簡潔にするために、ここで詳細な説明を省略する。
【００７０】
図６は、本発明の実施例に係るネットワーク機器４００を示す概略ブロック図である。図６に示すように、このネットワーク機器４００は、構成ユニット４１０を備える。
【００７１】
構成ユニット４１０は、端末機器のために非アクティブ状態に対するモビリティ制御パラメータを構成するために使用される。
【００７２】
したがって、本発明の実施例に係るネットワーク機器は、非アクティブ状態にある端末機器の移動性制御に有利である。
【００７３】
選択的に、本発明の実施例では、前記構成ユニットは具体的に、無線リソース制御ＲＲＣ専用シグナリング又はシステムブロードキャストメッセージを介して、前記端末機器に非アクティブ状態に対するモビリティ制御パラメータを送信するために使用される。
【００７４】
選択的に、本発明の実施例では、前記ＲＲＣ専用シグナリングは、ＲＲＣ接続解放メッセージであり、前記ＲＲＣ接続解放メッセージは、前記端末機器に非アクティブ状態に入ることを指示するために使用される。
【００７５】
選択的に、本発明の実施例では、前記ネットワーク機器は、前記端末機器が非アクティブ状態からアイドル状態に戻ったときに、前記端末機器に指示情報を送信するための送信ユニットをさらに備え、前記指示情報は、前記端末機器がアイドル状態にあるときに使用されるモビリティ制御パラメータを指示するために使用され、前記端末機器がアイドル状態にあるときに使用されるモビリティ制御パラメータは、非アクティブ状態に対して構成されたモビリティ制御パラメータ、又はアイドル状態に対して構成されたモビリティ制御パラメータである。
【００７６】
選択的に、本発明の実施例では、前記指示情報は、前記端末機器が非アクティブ状態からアイドル状態になることを指示する変換シグナリング又はシステムブロードキャストメッセージにより運搬される。
【００７７】
選択的に、本発明の実施例では、前記モビリティ制御パラメータは、端末機器の移動状態の判定パラメータ、端末機器の移動状態の各パラメータのスケーリングパラメータ、及び周波数に基づくセル再選択優先度パラメータのうちの少なくとも１つのパラメータを含む。
【００７８】
本発明の実施例に係るネットワーク機器４００は、本発明の方法の実施例におけるネットワーク機器に対応でき、また、ネットワーク機器４００内の各ユニットの上記の及び他の動作及び／又は機能のそれぞれは、図４の方法におけるネットワーク機器の対応するフローを実現するために使用されることが理解されるべきであり、簡潔にするために、ここで詳細な説明を省略する。
【００７９】
図７に示すように、本発明の実施例によれば、端末機器５００がさらに提供され、この端末機器５００は、図５の端末機器３００であってもよく、図３の方法１００に対応する端末機器の内容を実行するために使用されることができる。この端末機器５００は、入力インターフェース５１０、出力インターフェース５２０、プロセッサー５３０及びメモリ５４０を備え、この入力インターフェース５１０、出力インターフェース５２０、プロセッサー５３０及びメモリ５４０は、バスシステムを介して互いに接続されてもよい。このメモリ５４０は、プログラム、命令又はコードを記憶するために使用される。このプロセッサー５３０は、このメモリ５４０内のプログラム、命令又はコードを実行して、入力インターフェース５１０が信号を受信するように制御し、出力インターフェース５２０が信号を送信し、及び前述の方法の実施例における動作を完了するように制御するために使用される。
【００８０】
したがって、本発明の実施例に係る端末機器は、非アクティブ状態にある端末機器の移動性制御に有利である。
【００８１】
本発明の実施例では、このプロセッサー５３０は、中央処理装置（Ｃｅｎｔｒａｌ  Ｐｒｏｃｅｓｓｉｎｇ  Ｕｎｉｔ，ＣＰＵ）であってもよく、このプロセッサー５３０はまた、他の汎用プロセッサー、デジタル信号プロセッサー、特定用途向け集積回路、フィールドプログラマブルゲートアレイ又は他のプログラマブル論理デバイス、個別ゲート又はトランジスタ論理デバイス、個別ハードウェアコンポーネント等であってもよいことが理解されるべきである。汎用プロセッサーはマイクロプロセッサーであってもよいが、又は、このプロセッサーはまた、いずれかの通常のプロセッサー等であってもよい。
【００８２】
このメモリ５４０は、読み取り専用メモリ及びランダムアクセスメモリを含んでもよく、プロセッサー５３０に命令及びデータを提供する。メモリ５４０の一部は、また、不揮発性ランダムアクセスメモリを含んでもよい。例えば、メモリ５４０はまた、機器タイプの情報を記憶してもよい。
【００８３】
実現時に、上記方法の様々な内容は、プロセッサー５３０におけるハードウェアの集積論理回路又はソフトウェアの形の命令により完了されることができる。本発明の実施例に開示された方法の内容に関連して、直接にハードウェアプロセッサーにより実行されて完了し、又はプロセッサーにおけるハードウェア及びソフトウェアモジュールの組み合わせで実行して完了するように具現化されることができる。ソフトウェアモジュールは、ランダムアクセスメモリ、フラッシュメモリ、読み取り専用メモリ、プログラマブル読み取り専用メモリ又は電気的に消去可能なプログラマブルメモリ、レジスタ等の当技術分野で周知の記録媒体内に構成されてもよい。この記録媒体はメモリ５４０に構成され、プロセッサー５３０はメモリ５４０内の情報を読み取り、そのハードウェアと組み合わせて上記方法の内容を完了する。重複を避けるために、ここで詳細な説明を省略する。
【００８４】
一具体的な実施形態では、端末機器３００内の第１の受信ユニット及び第２の受信ユニットは、図７の入力インターフェース５１０により実現されてもよい。端末機器３００内の取得ユニット及び処理ユニットは、図７のプロセッサー５３０により実現されてもよい。
【００８５】
図８に示すように、本発明の実施例によれば、ネットワーク機器６００がさらに提供され、このネットワーク機器６００は、図６のネットワーク機器４００であってもよく、図４の方法２００に対応するネットワーク機器の内容を実行するために使用されることができる。このネットワーク機器６００は、入力インターフェース６１０、出力インターフェース６２０、プロセッサー６３０及びメモリ６４０を備え、この入力インターフェース６１０、出力インターフェース６２０、プロセッサー６３０及びメモリ６４０は、バスシステムを介して互いに接続されてもよい。このメモリ６４０は、プログラム、命令又はコードを記憶するために使用される。このプロセッサー６３０は、このメモリ６４０内のプログラム、命令又はコードを実行して、入力インターフェース６１０が信号を受信するように制御し、出力インターフェース６２０が信号を送信し、及び前述の方法の実施例における動作を完了するように制御するために使用される。
【００８６】
したがって、本発明の実施例に係るネットワーク機器は、非アクティブ状態にある端末機器の移動性制御に有利である。
【００８７】
本発明の実施例では、このプロセッサー６３０は、中央処理装置（Ｃｅｎｔｒａｌ  Ｐｒｏｃｅｓｓｉｎｇ  Ｕｎｉｔ，ＣＰＵ）であってもよく、このプロセッサー６３０はまた、他の汎用プロセッサー、デジタル信号プロセッサー、特定用途向け集積回路、フィールドプログラマブルゲートアレイ又は他のプログラマブル論理デバイス、個別ゲート又はトランジスタ論理デバイス、個別ハードウェアコンポーネント等であってもよいことが理解されるべきである。汎用プロセッサーはマイクロプロセッサーであってもよいが、又は、このプロセッサーはまた、いずれかの通常のプロセッサー等であってもよい。
【００８８】
このメモリ６４０は、読み取り専用メモリ及びランダムアクセスメモリを含んでもよく、プロセッサー６３０に命令及びデータを提供する。メモリ６４０の一部は、また、不揮発性ランダムアクセスメモリを含んでもよい。例えば、メモリ６４０はまた、機器タイプの情報を記憶してもよい。
【００８９】
実現時に、上記方法の様々な内容は、プロセッサー６３０におけるハードウェアの集積論理回路又はソフトウェアの形の命令により完了されることができる。本発明の実施例に開示された方法の内容に関連して、直接にハードウェアプロセッサーにより実行されて完了し、又はプロセッサーにおけるハードウェア及びソフトウェアモジュールの組み合わせで実行して完了するように具現化されることができる。ソフトウェアモジュールは、ランダムアクセスメモリ、フラッシュメモリ、読み取り専用メモリ、プログラマブル読み取り専用メモリ又は電気的に消去可能なプログラマブルメモリ、レジスタ等の当技術分野で周知の記録媒体内に構成されてもよい。この記録媒体はメモリ６４０に構成され、プロセッサー６３０はメモリ６４０内の情報を読み取り、そのハードウェアと組み合わせて上記方法の内容を完了する。重複を避けるために、ここで詳細な説明を省略する。
【００９０】
一具体的な実施形態では、ネットワーク機器４００内の構成ユニットは、図８のプロセッサー６３０により実現されてもよい。ネットワーク機器４００内の送信ユニットは、図８の出力インターフェース６１０により実現されてもよい。
【００９１】
当業者であれば、本明細書に開示された実施例に関連して説明された各例のユニット及びアルゴリズムステップが、電子ハードウェア、又はコンピュータソフトウェア及び電子ハードウェアの組み合わせで実現できることが認識される。これらの機能がハードウェアで実行されるかソフトウェアで実行されるかは、技術手段の特定のアプリケーション及び設計上の制約条件によって異なる。当業者であれば、特定の用途ごとに不同な方法を使用して記載された機能を実現できるが、このような実現が本発明の範囲を超えると考慮されるべきではない。
【００９２】
当業者であれば、説明の便宜及び簡潔さのために、上述のシステム、装置及びユニットの具体的な作業プロセスは、前述の方法の実施例に係る対応するプロセスを参照できることを理解することができ、ここで詳細な説明を省略する。
【００９３】
本発明に提供された幾つかの実施例において、開示されたシステム、装置及び方法は、他の方式で実現されてもよいことが理解されるべきである。例えば、上述のような装置の実施例は、単なる例にすぎず、例えば、このユニットの区分は、単なる論理的な機能による区分であり、実際に実現するときは他の区分方式であってもよく、例えば、複数のユニット又はコンポーネントが組み合わされるか又は別のシステムに集積されてもよく、或いは幾つかの特徴が省略され又は実行されなくてもよい。一方、示された又は解説された相互間の結合又は直接的な結合又は通信接続は、幾つかのインターフェイス、装置又はユニットによる間接的な結合又は通信接続であってもよく、電気的、機械的又は他の形態であってもよい。
【００９４】
この分離部材として説明されたユニットは、物理的に分離されてもよく、物理的に分離されなくてもよく、ユニットとして示された部材は、物理的なユニットであってもよく、物理的なユニットでなくてもよく、同じところに位置してもよく、複数のネットワークユニット上に分散されてもよい。実際の需要に応じて、一部又は全部のユニットを選択し、本実施例の目的を実現することができる。
【００９５】
なお、本発明の各実施例に係る各機能ユニットは、１つの処理ユニットに集積されていてもよく、各ユニットが単独に物理的に存在していてもよく、２つ又は２つ以上のユニットが１つのユニットに集積されていてもよい。
【００９６】
この機能がソフトウェア機能ユニットの形で実現され、且つ独立した製品として販売又は使用される場合には、１つのコンピュータ読み取り可能な記録媒体に記憶されることができる。このような理解に基づき、本発明の技術手段は本質的に、従来技術に貢献した部分又はこの技術手段の一部がソフトウェアプロダクトの状態で具現化されることができ、このコンピュータソフトウェアプロダクトは、１つの記録媒体に記憶され、１台のコンピュータ機器（パーソナルコンピュータ、サーバ、又はネットワーク機器等であってもよい）に本発明の各実施例のステップの全部又は一部を実行させる命令を若干備える。ここで、前述の記録媒体は、ＵＳＢメモリ、モバイルハードディスク、読み取り専用メモリ（Ｒｅａｄ  Ｏｎｌｙ  Ｍｅｍｏｒｙ，ＲＯＭ）、ランダムアクセスメモリ（Ｒａｎｄｏｍ  Ａｃｃｅｓｓ  Ｍｅｍｏｒｙ，ＲＡＭ）、磁気ディスク、又は光ディスク等のプログラムコードを記憶可能な様々な媒体を含む。
【手続補正２】
【補正対象書類名】特許請求の範囲
【補正対象項目名】全文
【補正方法】変更
【補正の内容】
【特許請求の範囲】
【請求項１】
端末機器が、非アクティブ状態でセル再選択を実行するために使用されるモビリティ制御パラメータを取得するステップを含む
ことを特徴とする無線通信の方法。
【請求項２】
前記端末機器が、非アクティブ状態でセル再選択を実行するために使用されるモビリティ制御パラメータを取得するステップは、
前記端末機器が、ネットワーク機器により送信されたＲＲＣ専用シグナリングから、非アクティブ状態に対して構成されたモビリティ制御パラメータを取得するステップを含む
ことを特徴とする請求項１に記載の方法。
【請求項３】
前記端末機器が、非アクティブ状態でセル再選択を実行するために使用されるモビリティ制御パラメータを取得するステップは、
前記端末機器が、前記ネットワーク機器により送信された無線リソース制御ＲＲＣ接続解放メッセージを受信するステップと、
前記端末機器が、前記ＲＲＣ接続解放メッセージから、前記非アクティブ状態に対して構成されたモビリティ制御パラメータを取得するステップと、を含み、
前記ＲＲＣ接続解放メッセージは、前記端末機器に非アクティブ状態に入ることを指示するために使用され、前記ＲＲＣ接続解放メッセージは、前記モビリティ制御パラメータを含む
ことを特徴とする請求項１または２に記載の方法。
【請求項４】
前記端末機器が、非アクティブ状態で無線リソース制御ＲＲＣ接続を回復するために使用されるモビリティ制御パラメータを取得するステップは、
前記端末機器が、システムブロードキャストメッセージから、前記モビリティ制御パラメータを取得するステップを含む
ことを特徴とする請求項１に記載の方法。
【請求項５】
前記モビリティ制御パラメータは、端末機器の移動状態の判定パラメータ、端末機器の移動状態の各パラメータのスケーリングパラメータ、及び周波数に基づくセル再選択優先度パラメータのうちの少なくとも１つのパラメータを含む
ことを特徴とする請求項１〜４のいずれか１項に記載の方法。
【請求項６】
前記ＲＲＣ接続解放メッセージには、前記端末装置に非アクティブ状態に入るように指示するための指示または解放原因値が含まれている
ことを特徴とする請求項３に記載の方法。
【請求項７】
ネットワーク機器が、端末機器のために非アクティブ状態に対するモビリティ制御パラメータを構成するステップを含む
ことを特徴とする無線通信の方法。
【請求項８】
前記ネットワーク機器が、端末機器のために非アクティブ状態に対するモビリティ制御パラメータを構成するステップは、
前記ネットワーク機器が、無線リソース制御ＲＲＣ専用シグナリング又はシステムブロードキャストメッセージを介して、前記端末機器に非アクティブ状態に対するモビリティ制御パラメータを送信するステップを含む
ことを特徴とする請求項７に記載の方法。
【請求項９】
前記ＲＲＣ専用シグナリングは、ＲＲＣ接続解放メッセージであり、前記ＲＲＣ接続解放メッセージは、前記端末機器に非アクティブ状態に入ることを指示するために使用される
ことを特徴とする請求項８に記載の方法。
【請求項１０】
前記端末機器が非アクティブ状態からアイドル状態に戻ったときに、前記ネットワーク機器が、前記端末機器に指示情報を送信するステップをさらに含み、前記指示情報は、前記端末機器がアイドル状態にあるときに使用されるモビリティ制御パラメータを指示するために使用され、前記端末機器がアイドル状態にあるときに使用されるモビリティ制御パラメータは、非アクティブ状態に対して構成されたモビリティ制御パラメータ、又はアイドル状態に対して構成されたモビリティ制御パラメータである
ことを特徴とする請求項７〜９のいずれか１項に記載の方法。
【請求項１１】
前記指示情報は、前記端末機器が非アクティブ状態からアイドル状態になることを指示する変換シグナリング又はシステムブロードキャストメッセージにより運搬される
ことを特徴とする請求項１０に記載の方法。
【請求項１２】
前記モビリティ制御パラメータは、端末機器の移動状態の判定パラメータ、端末機器の移動状態の各パラメータのスケーリングパラメータ、及び周波数に基づくセル再選択優先度パラメータのうちの少なくとも１つのパラメータを含む
ことを特徴とする請求項７〜１１のいずれか１項に記載の方法。
【請求項１３】
前記ＲＲＣ接続解放メッセージには、前記端末装置に非アクティブ状態に入るように指示するための指示または解放原因値が含まれている
ことを特徴とする請求項９に記載の方法。
【請求項１４】
請求項１〜６のいずれかに記載の方法を実施するように構成される
ことを特徴とする端末機器。
【請求項１５】
請求項７〜１３のいずれかに記載の方法を実施するように構成される
ことを特徴とするネットワーク機器。
【国際調査報告】
2020532152.tif 000011
2020532152.tif 000012
2020532152.tif 000013
2020532152.tif 000014